(57)【要約】【課題】使用する液体吸収剤の種類を問わず除湿部における気液接触部の面積を大きくせずとも十分な除湿量を確保する。【解決手段】吸収剤回路（15）には、液式除湿モジュール（21）、再生モジュール（31）、及び液式除湿モジュール（21）で利用される前の液体吸収剤を冷媒により冷却する液冷却熱交換器（46）が接続される。冷媒冷却式除湿モジュール（48）は、液式除湿モジュール（21）よりも被処理空気の流れ方向上流側に位置し、当該モジュール（21）で除湿される前の被処理空気を冷媒により冷却除湿する。液冷却熱交換器（46）及び冷媒冷却式除湿モジュール（48）は、液加熱熱交換器（44）と共に１の冷媒回路（40）に接続される。【選択図】図１
2018118246.tif 000002
【特許請求の範囲】
【請求項１】
液体吸収剤に被処理空気中の水分を吸収させて該被処理空気を除湿する液式除湿部（21）と、上記液体吸収剤の水分を再生用空気に放出させて上記液体吸収剤を再生する再生部（31）と、上記液式除湿部（21）及び上記再生部（31）の間で上記液体吸収剤を循環させることが可能なポンプ（37）と、が接続された吸収剤回路（15）と、
上記吸収剤回路（15）に接続され、上記液式除湿部（21）にて除湿に利用される前の上記液体吸収剤を冷媒によって冷却する液冷却熱交換器（46）と、
上記液式除湿部（21）よりも上記被処理空気の流れ方向上流側に位置し、上記液式除湿部（21）にて除湿される前の上記被処理空気を上記冷媒により冷却して除湿する冷媒冷却式除湿部（48）と
を備え、
上記液冷却熱交換器（46）及び上記冷媒冷却式除湿部（48）は、上記再生部（31）にて再生される前の上記液体吸収剤を上記冷媒によって加熱する液加熱熱交換器（44）と共に、１の冷媒回路（40）に接続されている
ことを特徴とする調湿装置。
【請求項２】
請求項１において、
上記冷媒冷却式除湿部（48）及び上記液式除湿部（21）において除湿された上記被処理空気は室内へ供給され、
上記冷媒回路（40）には、更に、上記冷媒冷却式除湿部（48）通過後の上記冷媒を上記室内の空気以外の放熱流体に放熱させる放熱用熱交換器（43）が接続されている
ことを特徴とする調湿装置。
【請求項３】
請求項２において、
上記冷媒回路（40）における上記冷媒の凝縮温度が所定値以下の場合、上記放熱用熱交換器（43）への上記放熱流体の供給を停止する供給制御部（51）、
を更に備えることを特徴とする調湿装置。
【請求項４】
請求項１から請求項３のいずれか１つにおいて、
上記被処理空気が、上記液式除湿部（21）及び上記冷媒冷却式除湿部（48）によって除湿される第１除湿運転モード、
上記被処理空気が、上記冷媒冷却式除湿部（48）によって除湿されず上記液式除湿部（21）によって除湿される第２除湿運転モード、及び
上記被処理空気が、上記液式除湿部（21）によって除湿されず上記冷媒冷却式除湿部（48）によって除湿される第３除湿運転モード、
のいずれかで動作されるように、上記吸収剤回路（15）及び上記冷媒回路（40）を制御するモード運転制御部（52）、
を更に備えることを特徴とする調湿装置。
【請求項５】
請求項１から請求項４のいずれか１つにおいて、
上記液式除湿部（21）にて除湿される前であって且つ上記冷媒冷却式除湿部（48）から流出した後の上記被処理空気の温度が、上記液式除湿部（21）に流入する上記液体吸収剤の温度以上となるように、上記冷媒回路（40）を制御する冷媒回路制御部（50）、
を更に備えることを特徴とする調湿装置。
【発明の詳細な説明】
【技術分野】
【０００１】
本発明は、液体吸収剤を用いて空気を調湿する調湿装置に関するものである。
【背景技術】
【０００２】
室内の湿度を調整する装置には、特許文献１に示すように、吸湿性を有する液体を液体吸収剤として用いたタイプがある。
【０００３】
特許文献１の調湿装置は、室内を除湿する除湿部（処理機）と、除湿に利用された液体吸収剤を再生する再生部（再生機）とを備える。除湿部（処理機）は、冷却された液体吸収剤に被処理空気を通すことにより該空気中の水分を吸収して該空気を除湿する。再生部は、除湿に用いられた後加熱された液体吸収剤に再生用空気を通すことにより、該液体吸収剤の水分を空気中に放出して液体吸収剤を再生する。
【０００４】
更に、特許文献１の除湿部は、気液接触部（コンタクタ）と液槽とを有する。冷却された液体吸収剤は、気液接触部において被処理空気と接触し、その後液槽に蓄えられる。
【先行技術文献】
【特許文献】
【０００５】
【特許文献１】特開２０１０−３６０９３号公報
【発明の概要】
【発明が解決しようとする課題】
【０００６】
上記特許文献１では、十分な除湿量を確保する方法として、除湿部の気液接触部の面積を大きくすることが考えられる。気液接触部の面積が大きい程、液体吸収剤と被処理空気との接触面が大きくなるからである。しかし、この方法を採用した場合、調湿装置が大型化する他、液体吸収剤の使用量も増加する。それ故、除湿装置のコストは高くなってしまう。また、液体吸収剤による除湿量が大きい程、再生部にて液体吸収剤を再生するために必要なエネルギーも大きくなってしまう。
【０００７】
一方、吸湿性能の比較的高い液体を液体吸収剤として使用することにより、除湿能力を向上させることも考えられる。しかし、このような性質を有する液体は、塩化リチウム及び臭化リチウム等の僅かな種類に限られる。
【０００８】
本発明は、かかる点に鑑みてなされたものであり、その目的は、使用する液体吸収剤の種類を問わず、且つ、除湿部の気液接触部の面積を大きくせずとも十分な除湿量を確保することである。
【課題を解決するための手段】
【０００９】
第１の発明は、液体吸収剤に被処理空気中の水分を吸収させて該被処理空気を除湿する液式除湿部（21）と、上記液体吸収剤の水分を再生用空気に放出させて上記液体吸収剤を再生する再生部（31）と、上記液式除湿部（21）及び上記再生部（31）の間で上記液体吸収剤を循環させることが可能なポンプ（37）と、が接続された吸収剤回路（15）と、上記吸収剤回路（15）に接続され、上記液式除湿部（21）にて除湿に利用される前の上記液体吸収剤を冷媒によって冷却する液冷却熱交換器（46）と、上記液式除湿部（21）よりも上記被処理空気の流れ方向上流側に位置し、上記液式除湿部（21）にて除湿される前の上記被処理空気を上記冷媒により冷却して除湿する冷媒冷却式除湿部（48）とを備え、上記液冷却熱交換器（46）及び上記冷媒冷却式除湿部（48）は、上記再生部（31）にて再生される前の上記液体吸収剤を上記冷媒によって加熱する液加熱熱交換器（44）と共に、１の冷媒回路（40）に接続されていることを特徴とする調湿装置である。
【００１０】
ここでは、液体吸収剤は、冷媒回路（40）の液冷却熱交換器（46）にて冷媒により冷却され、その後、液式除湿部（21）に供給される。液式除湿部（21）では、液体吸収剤を用いて被処理空気から水分を吸収して、該空気を除湿する。一方で、液体吸収剤は、冷媒回路（40）の液加熱熱交換器（44）にて冷媒により加熱され、その後、再生部（31）に供給される。再生部（31）では、液式除湿部（21）にて被処理空気から水分を吸収することにより濃度が薄められた液体吸収剤が、逆に水分を再生用空気に放出することによって再生される。
【００１１】
特に、ここでは、被処理空気は、先ずは冷媒回路（40）における冷媒冷却式除湿部（48）にて冷媒により冷却除湿され、その後に液式除湿部（21）にて除湿される。これにより、液体吸収剤の吸湿性能の高低に拘わらず、且つ、液式除湿部（21）において液体吸収剤と被処理空気との接触面積をあえて大きくせずとも、被処理空気を十分に除湿することができる。
【００１２】
また、冷媒冷却式除湿部（48）、液冷却熱交換器（46）及び液加熱熱交換器（44）は、１の冷媒回路（40）に接続されている。従って、例えば冷媒の循環量を変化させる等により除湿の程度を制御することができる。
【００１３】
第２の発明は、第１の発明において、上記冷媒冷却式除湿部（48）及び上記液式除湿部（21）において除湿された上記被処理空気は室内へ供給され、上記冷媒回路（40）には、更に、上記冷媒冷却式除湿部（48）通過後の上記冷媒を上記室内の空気以外の放熱流体に放熱させる放熱用熱交換器（43）が接続されていることを特徴とする調湿装置である。
【００１４】
吸収剤回路（15）では、再生部（31）は、液式除湿部（21）の除湿性能と釣り合う再生能力を有するものが使用される。一方で、被処理空気は、冷媒冷却式除湿部（48）及び液式除湿部（21）により２段階に分けて除湿される。そのため、冷媒冷却式除湿部（48）が被処理空気の冷却除湿の際に発熱した熱量（凝縮熱量）分の放熱手段が別途必要となる。ここでは、その放熱手段として、放熱用熱交換器（43）が更に備えられている。放熱用熱交換器（43）は、冷媒冷却式除湿部（48）通過後の冷媒を室内の空気以外に放熱させる。これにより、冷媒冷却式除湿部（48）における発熱分を放熱することができ、冷媒の凝縮温度の上昇が抑えられる。従って、冷媒の凝縮温度の上昇に伴う調湿装置（10）全体の除湿効率の悪化及び異常による除湿動作停止が生じることを回避できる。
【００１５】
第３の発明は、第２の発明において、上記冷媒回路（40）における上記冷媒の凝縮温度が所定値以下の場合、上記放熱用熱交換器（43）への上記放熱流体の供給を停止する供給制御部（51）、を更に備えることを特徴とする調湿装置である。
【００１６】
空調負荷が比較的小さく冷媒冷却式除湿部（48）での発熱（凝縮熱）量がさほどない場合、冷媒冷却式除湿部（48）の発熱分を再生部（31）での再生空気への放熱分で十分に処理でき、冷媒の凝縮温度は比較的低くなる。そこで、ここでは、冷媒の凝縮温度が所定値以下の場合、放熱用熱交換器（43）への放熱流体の供給を停止することにより、放熱用熱交換器（43）における放熱流体と冷媒との熱交換動作が停止する。従って、冷媒の凝縮温度が所定値以下の場合に放熱用熱交換器（43）にて熱交換動作が行われる場合よりも、液体吸収剤の再生温度は上昇し、液体吸収剤は十分に再生される。また、放熱用熱交換器（43）への放熱流体の供給を停止する分、エネルギーを削減することができる。
【００１７】
第４の発明は、第１の発明から第３の発明のいずれか１つにおいて、上記被処理空気が、上記液式除湿部（21）及び上記冷媒冷却式除湿部（48）によって除湿される第１除湿運転モード、上記被処理空気が、上記冷媒冷却式除湿部（48）によって除湿されず上記液式除湿部（21）によって除湿される第２除湿運転モード、及び上記被処理空気が、上記液式除湿部（21）によって除湿されず上記冷媒冷却式除湿部（48）によって除湿される第３除湿運転モード、のいずれかで動作されるように、上記吸収剤回路（15）及び上記冷媒回路（40）を制御するモード運転制御部（52）、を更に備えることを特徴とする調湿装置である。
【００１８】
これにより、例えば空調負荷に応じた適切な除湿運転がなされる。
【００１９】
第５の発明は、第１の発明から第４の発明のいずれか１つにおいて、上記液式除湿部（21）にて除湿される前であって且つ上記冷媒冷却式除湿部（48）から流出した後の上記被処理空気の温度が、上記液式除湿部（21）に流入する上記液体吸収剤の温度以上となるように、上記冷媒回路（40）を制御する冷媒回路制御部（50）、を更に備えることを特徴とする調湿装置である。
【００２０】
これにより、冷媒冷却式除湿部（48）にて被処理空気を過度に冷却除湿してしまい、液式除湿部（21）での除湿量が非常に少なくなった結果、除湿装置（10）全体としての被処理空気の除湿効率が悪化することを回避できる。また、液式除湿部（21）での液体吸収剤による再熱ロスを防ぐことができる。
【発明の効果】
【００２１】
本発明によれば、液体吸収剤の吸湿性能の高低に拘わらず、且つ、液式除湿部（21）において液体吸収剤と空気との接触面積をあえて大きくせずとも、被処理空気を十分に除湿することができる。また、冷媒の循環量等を変化させる等により、除湿の程度を制御することも容易となる。
【図面の簡単な説明】
【００２２】
【図１】図１は、実施形態１の調湿装置の構成を概略的に示す図である。
【図２】図２は、液式除湿モジュールにおける液体吸収剤の流れ方向と該液体吸収剤に接触する空気の流れ方向とが直交する関係にある、実施形態１の場合を示す図である。
【図３】図３は、液式除湿モジュールにおける液体吸収剤の流れ方向と該液体吸収剤に接触する空気の流れ方向とが対向する関係にある、従来技術の場合を示す図である。
【図４】図４は、実施形態２の調湿装置の構成を概略的に示す図である。
【図５】図５は、実施形態２の調湿装置が行う各運転モード１〜５における、除湿動作の有無、液体吸収剤の循環の有無、運転条件を表す表である。
【図６】図６は、実施形態２の調湿装置が運転モード１にて運転する場合の、液体吸収剤の流れ及び冷媒の流れを示す図である。
【図７】図７は、実施形態２の調湿装置が運転モード２にて運転する場合の、液体吸収剤の流れ及び冷媒の流れを示す図である。
【図８】図８は、実施形態２の調湿装置が運転モード３にて運転する場合の、液体吸収剤の流れ及び冷媒の流れを示す図である。
【図９】図９は、実施形態２の調湿装置が運転モード４にて運転する場合の、液体吸収剤の流れ及び冷媒の流れを示す図である。
【図１０】図１０は、実施形態２の調湿装置が運転モード５にて運転する場合の、液体吸収剤の流れ及び冷媒の流れを示す図である。
【図１１】図１１は、実施形態３における説明図であって、実施形態２の調湿装置の構成において温度検知センサ等が設けられた状態を示す図である。
【図１２】図１２は、実施形態３における説明図であって、実施形態１の調湿装置の構成において温度検知センサ等が設けられた状態を示す図である。
【図１３】図１３は、その他の実施形態に係る調湿装置の構成を概略的に示す図である。
【図１４】図１４は、図１３とは別の調湿装置の構成を概略的に示す図である。
【発明を実施するための形態】
【００２３】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２４】
≪実施形態１≫
＜概要＞
本実施形態１に係る調湿装置（10）は、オフィスビルや住宅などの内部空間（以下、室内）を、主に液体吸収剤を用いて除湿する装置である。
【００２５】
図１に示すように、本実施形態１に係る調湿装置（10）は、空気を除湿する除湿モジュール（20）を備える。除湿モジュール（20）は、液体吸収剤を用いて除湿する液式除湿モジュール（21）（液式除湿部に相当）と、冷媒を用いて除湿する冷媒冷却式除湿モジュール（48）（冷媒冷却式除湿部に相当）とを含む。
【００２６】
このような調湿装置（10）は、液体吸収剤が循環する吸収剤回路（15）と、冷媒が循環する冷媒回路（40）とを備える。上記液式除湿モジュール（21）は、吸収剤回路（15）を構成する機器に含まれる。吸収剤回路（15）を構成する機器全ては、室内とは別の空間（例えば機械室）に設置される。冷媒回路（40）を構成する機器には、上記冷媒冷却式除湿モジュール（48）の他、圧縮機（42）及び放熱用凝縮器（43）（放熱用熱交換器に相当）が含まれる。圧縮機（42）及び放熱用凝縮器（43）は、室外機（41）に含まれ、屋外に設置される。冷媒回路（40）を構成する機器のうち、圧縮機（42）及び放熱用凝縮器（43）以外の機器は、上記吸収剤回路（15）を構成する機器と同様、室内とは別の空間（例えば機械室）に設置される。
【００２７】
−液体吸収剤−
上記液体吸収剤とは、空気中の水分（水蒸気）を吸収できる液体である。一般的に、調湿装置（10）にて用いられる液体吸収剤としては、塩化リチウム水溶液及び臭化リチウム水溶液が挙げられる。これらは、吸湿性能が優れているが、比較的高い腐食性を有する水溶液である。これらの水溶液を用いる場合、腐食防止のための対策を調湿装置（10）に別途講じる必要が生じるため、これらの水溶液を安全に使用することは困難である。
【００２８】
これに対し、本実施形態１では、上記水溶液よりも吸湿性能は劣るものの腐食性が低い性質の液体を液体吸収剤として用いることができる。当該液体は、腐食性が低いため安全に使用することができる。このような液体としては、イオン液体が挙げられる。イオン液体とは、イオンで構成される塩であって、摂氏１００度以下にて液体の状態である性質を有する。
【００２９】
＜調湿装置の構成＞
調湿装置（10）は、上記吸収剤回路（15）と、上記冷媒回路（40）と、各回路（15,40）における各種制御を行うためのコントローラ（50）とを備える。
【００３０】
−吸収剤回路−
吸収剤回路（15）は、液体吸収剤と空気との間における水分の授受を行うためのモジュールとして、上記液式除湿モジュール（21）、再生モジュール（31）（再生部に相当）を有する。更に、吸収剤回路（15）は、ポンプ（37）、流量調整弁（39）、液加熱熱交換器（44）及び液冷却熱交換器（46）を有する。吸収剤回路（15）は、各モジュール（21,31）及びポンプ（37）等が接続配管（15a〜15e）によって接続されることで構成されている。
【００３１】
−液式除湿モジュール−
液式除湿モジュール（21）は、液体吸収剤に被処理空気中の水分を吸収させて該被処理空気を除湿する。具体的に、液式除湿モジュール（21）は、除湿側液体供給部（22）と、除湿側気液接触部（23）と、液槽（24）とを有する。
【００３２】
除湿側液体供給部（22）は、例えば、接続配管（15a）の一端に接続された配管部分に、液体吸収剤を滴下するための滴下口が該配管部分の延設方向に並んで複数形成された構成を有する。
【００３３】
除湿側気液接触部（23）は、親水性の充填材で構成されており、除湿側液体供給部（22）の下方に位置する。除湿側気液接触部（23）は、被処理空気である外気（OA）が供給されると、この外気（OA）を、除湿側液体供給部（22）から滴下された液体吸収剤と接触させる。これにより、除湿側気液接触部（23）を通過した外気（OA）に含まれる水分量は、通過前よりも少なくなっており、除湿された状態となっている。つまり、除湿側気液接触部（23）に滴下され外気（OA）と接触した後の液体吸収剤の濃度は、除湿側気液接触部（23）に滴下される前よりも薄くなっている。
【００３４】
液槽（24）は、再生モジュール（31）よりも液式除湿モジュール（21）寄りであって、具体的には除湿側気液接触部（23）の下方に位置する。液槽（24）は、除湿側気液接触部（23）において外気（OA）と接触した後の液体吸収剤を受けるための除湿側液受部としての機能を兼ねており、除湿利用後の液体吸収剤を貯留する。即ち、本実施形態１に係る液式除湿モジュール（21）では、除湿側液受部と液槽とが併設されていない。これにより、除湿側液受部と液槽とを併設する場合に比して、調湿装置（10）のコスト上昇は抑えられる。
【００３５】
−再生モジュール−
再生モジュール（31）は、液体吸収剤の水分を再生用空気に放出させて液体吸収剤を再生する。具体的に、再生モジュール（31）は、再生側液体供給部（32）と、再生側気液接触部（33）と、再生側液受部（34）とを有する。
【００３６】
再生側液体供給部（32）は、例えば、接続配管（15b）の一端に接続された配管部分に、液体吸収剤を滴下するための滴下口が該配管部分の延設方向に並んで複数形成された構成を有する。
【００３７】
再生側気液接触部（33）は、親水性の充填材で構成されており、再生側液体供給部（32）の下方に位置する。再生側気液接触部（33）は、再生用空気である室内空気（RA）が供給されると、この室内空気（RA）を、再生側液体供給部（32）から滴下された液体吸収剤と接触させる。これにより、滴下された液体吸収剤に含まれる水分量は、再生用空気に放出され、再生側気液接触部（33）を通過した液体吸収剤の濃度は、再生側気液接触部（33）に滴下される前よりも濃くなっている。
【００３８】
再生側液受部（34）は、液式除湿モジュール（21）よりも再生モジュール（31）寄りであって、具体的には再生側気液接触部（33）の下方に位置する。再生側液受部（34）は、再生側気液接触部（33）において室内空気（RA）と接触し再生された液体吸収剤を受ける。再生側液受部（34）と液槽（24）とは、接続配管（15c）によって接続されており、再生側液受部（34）が受けた液体吸収剤（即ち、再生された液体吸収剤）は、接続配管（15c）を介して１つの液槽（24）に送られる。
【００３９】
即ち、本実施形態１に係る液槽（24）には、液式除湿モジュール（21）の除湿側気液接触部（23）にて被処理空気（外気（OA））の除湿に利用された液体吸収剤と、再生モジュール（31）の再生側気液接触部（33）にて再生された液体吸収剤とが、混合されて貯留される。除湿に利用された液体吸収剤の濃度は、再生された液体吸収剤の濃度よりも薄い。従って、除湿に利用された濃度の薄い液体吸収剤と、再生された濃度の薄い液体吸収剤とが、１つの液槽（24）を共通のタンクとして貯留される。
【００４０】
特に、接続配管（15c）は、再生側液受部（34）の底部を液入口とし、液槽（24）の側部を液出口として、再生側液受部（34）及び液槽（24）を繋いでいる。液出口は、液入口よりも下方にある。そのため、再生側液受部（34）から液槽（24）へは、重力（液体吸収剤の自重）を利用して流れ込むようになっている。従って、接続配管（15c）の間に、液体吸収剤を再生側液受部（34）から液槽（24）へと積極的に送るポンプ等の動力を設けずとも、再生された液体吸収剤と除湿に利用された液体吸収剤とを１つの液槽（24）に集めることができる。
【００４１】
なお、液槽（24）自体が再生側液受部（34）よりも低い位置に設置されていることがより好ましい。これにより、液体吸収剤は、再生側液受部（34）から液槽（24）へと、重力によってより移動し易くなるためである。
【００４２】
−ポンプ−
ポンプ（37）は、接続配管（15d）及び接続配管（15e）に接続されている。ポンプ（37）は、液槽（24）に貯留された液体吸収剤を、再び液式除湿モジュール（21）及び再生モジュール（31）それぞれに送る。即ち、ポンプ（37）は、液式除湿モジュール（21）及び再生モジュール（31）の間で液体吸収剤を循環させるためのものであると言える。
【００４３】
ここで、接続配管（15d）は、一端が液槽（24）に接続され、他端がポンプ（37）の入力側に接続されている。接続配管（15e）は、一端がポンプ（37）の出力側に接続されている。接続配管（15e）の他端は、２経路に分岐し、一方の経路は液冷却熱交換器（46）に接続され、他方の経路は流量調整弁（39）を介して液加熱熱交換器（44）に接続されている。
【００４４】
−流量調整弁−
流量調整弁（39）は、電磁比例弁で構成されており、開度を調節することで液体吸収剤の流量を調整する。液槽（24）に貯留された液体吸収剤は、ポンプ（37）から出た後、液冷却熱交換器（46）へのみならず、液加熱熱交換器（44）へと分岐して流れることができる。流量調整弁（39）の開度を調節することで、液冷却熱交換器（46）への液体吸収剤の供給量と液加熱熱交換器（44）への液体吸収剤の供給量とが所定の比率に調整される。
【００４５】
−液加熱熱交換器−
液加熱熱交換器（44）は、例えばプレート式であって、図示していないが、液体吸収剤が通過する吸収剤通路と、冷媒が通過する冷媒通路とを有する。吸収剤通路の入口側は接続配管（15e）に接続され、吸収剤通路の出口側は接続配管（15b）を介して再生モジュール（31）の再生側液体供給部（32）に接続される。冷媒通路の入口側は、接続配管（40c）を介して放熱用凝縮器（43）に接続され、冷媒通路の出口側は、接続配管（40d）を介して膨張弁（45）に接続される。液加熱熱交換器（44）は、冷媒の凝縮器として機能し、吸収剤通路を通過する液体吸収剤と冷媒通路を通過する冷媒とを熱交換することにより、再生モジュール（31）にて再生される前の液体吸収剤を冷媒によって加熱する。液加熱熱交換器（44）を通過した後の液体吸収剤は、再生モジュール（31）に送られ、再生される。
【００４６】
−液冷却熱交換器−
液冷却熱交換器（46）は、例えばプレート式であって、図示していないが、上記液加熱熱交換器（44）と同様、液体吸収剤が通過する吸収剤通路と、冷媒が通過する冷媒通路とを有する。吸収剤通路の入口側は接続配管（15e）に接続され、吸収剤通路の出口側は接続配管（15a）を介して液式除湿モジュール（21）の除湿側液体供給部（22）に接続される。冷媒通路の入口側は、接続配管（40e）を介して膨張弁（45）に接続され、冷媒通路の出口側は、接続配管（40f）を介して冷媒冷却式除湿モジュール（48）に接続される。液冷却熱交換器（46）は、冷媒の蒸発器として機能し、吸収剤通路を通過する液体吸収剤と冷媒通路を通過する冷媒とを熱交換する。具体的に、液冷却熱交換器（46）では、液式除湿モジュール（21）にて除湿に利用される前の液体吸収剤が、冷媒によって冷却される。液冷却熱交換器（46）を通過後の液体吸収剤は、液式除湿モジュール（21）に送られ、除湿に利用される。
【００４７】
−冷媒回路−
冷媒回路（40）は、圧縮機（42）、放熱用凝縮器（43）、液加熱熱交換器（44）、膨張弁（45）、液冷却熱交換器（46）及び冷媒冷却式除湿モジュール（48）が、接続配管（40a〜40f）によってこの順で直列に接続されることで構成されている。以下では、上述した液加熱熱交換器（44）及び液冷却熱交換器（46）以外の冷媒回路（40）の構成機器について説明する。
【００４８】
−圧縮機−
圧縮機（42）は、接続配管（40a）を介して冷媒冷却式除湿モジュール（48）の冷媒流れ方向下流側に位置し、冷媒を圧縮して吐出する。圧縮機（42）は、容量可変式であって、図示しないインバータ回路によって回転数（運転周波数）が変更される。
【００４９】
−放熱用凝縮器−
放熱用凝縮器（43）は、例えばフィンアンドチューブ式であって、冷媒の入口は接続配管（40b）を介して圧縮機（42）の吐出側に接続され、冷媒の出口は接続配管（40c）を介して液加熱熱交換器（44）における冷媒通路の入口と接続されている。即ち、放熱用凝縮器（43）は、冷媒冷却式除湿モジュール（48）の冷媒流れ方向下流側に位置する。放熱用凝縮器（43）は、冷媒冷却式除湿モジュール（48）を通過し圧縮機（42）から吐出された冷媒の熱を放熱流体に放出させて、該冷媒を凝縮する。放熱後の冷媒は、液加熱熱交換器（44）にて、更に液体吸収剤に放熱して凝縮する。
【００５０】
ここで、上記放熱流体とは、室内の空気（RA）以外であって、例えば外気（OA）、水などが挙げられる。本実施形態１では、放熱流体が外気（OA）であって、放熱用凝縮器（43）は、外気（OA）と冷媒とを熱交換する空気−冷媒熱交換器である場合を例に取る。
【００５１】
また、放熱用凝縮器（43）付近には、放熱用凝縮器（43）に放熱流体である外気（OA）を供給するためのファン（43a）が設置されている。ファン（43a）は、放熱用凝縮器（43）にて冷媒の放熱が必要な場合に運転するが、これについては、“−供給制御部−”にて説明する。
【００５２】
−膨張弁−
膨張弁（45）は、電子膨張弁で構成されている。膨張弁（45）は、接続配管（40d）を介して液加熱熱交換器（44）における冷媒通路の出口側と接続され、接続配管（40e）を介して液冷却熱交換器（46）における冷媒通路の入口側と接続されている。膨張弁（45）は、開度を変更することで、冷媒回路（40）内を循環する冷媒を減圧する。
【００５３】
−冷媒冷却式除湿モジュール−
冷媒冷却式除湿モジュール（48）は、例えばフィンアンドチューブ式であって、被処理空気（外気（OA））を冷媒により冷却して除湿する。特に、冷媒冷却式除湿モジュール（48）は、液式除湿モジュール（21）よりも外気（OA）の流れ方向上流側に位置する。冷媒冷却式除湿モジュール（48）は、液式除湿モジュール（21）にて除湿される前の被処理空気（外気（OA））を冷却除湿する。即ち、本実施形態１では、被処理空気（外気（OA））は、液式除湿モジュール（21）及び冷媒冷却式除湿モジュール（48）の双方にて除湿され、その後供給空気（SA）として室内に供給される。
【００５４】
冷媒冷却式除湿モジュール（48）の下方には、ドレンパン（48a）が設置されている。冷媒冷却式除湿モジュール（48）では、被処理空気（外気（OA））を冷却除湿した際に該空気から吸収した水分が冷媒冷却式除湿モジュール（48）の表面で結露して、下方に落下する。ドレンパン（48a）は、この結露水を回収するための受け皿である。ドレンパン（48a）は、ドレン排出配管（48b）と接続されており、当該ドレン排出配管（48b）を通じて結露水を調湿装置（10）の外部に排出する。
【００５５】
このように、ドレンパン（48a）は、液式除湿モジュール（21）における液槽（24）とは別途設けられている。仮に、液槽（24）に結露水が混入すると、液槽（24）における液体吸収剤の濃度が混入しない場合に比べて低下し、液体吸収剤を再生モジュール（31）にて再生するのに必要なエネルギーが増大してしまう。しかし、ここでは、ドレンパン（48a）と液槽（24）とが別途設けられているため、上述したような問題が発生する可能性は低くなる。
【００５６】
更に、冷媒冷却式除湿モジュール（48）及び液式除湿モジュール（21）の間には、フィルタ（49）が位置している。フィルタ（49）は、液体吸収剤が液式除湿モジュール（21）側から冷媒冷却式除湿モジュール（48）側に飛散することを防止するとともに、結露水が冷媒冷却式除湿モジュール（48）側から液式除湿モジュール（21）側に飛散することを防止する。このフィルタ（49）により、液体吸収剤と結露水とが混ざる可能性は、確実に低くなっている。
【００５７】
ところで、上記結露水は、ドレンパン（48a）及びドレン排出配管（48b）を介して屋外に排出される。そのため、冷媒冷却式除湿モジュール（48）が外気（OA）を冷却除湿した際の凝縮熱の放出手段が別途必要となる。本実施形態１では、当該凝縮熱の放出手段として、上述した放熱用凝縮器（43）が存在する。特に、放熱用凝縮器（43）は、屋外に排出された結露水に相当する気化熱分を回収するべく、上述のように、室内空気（RA）以外の放熱流体に放熱を行う。従って、冷媒の凝縮温度（凝縮圧力）の過度な上昇は抑えられ、凝縮温度（凝縮圧力）の過度な上昇を異常と判断して調湿装置（10）が運転を停止する事態を回避できる。
【００５８】
このように、液冷却熱交換器（46）及び冷媒冷却式除湿モジュール（48）は、液加熱熱交換器（44）と共に１の冷媒回路（40）に接続されている。本実施形態１では、ヒートポンプ熱源とも言える冷媒回路（40）を複数の回路の組合せで複雑に設けてはおらず、冷媒回路（40）の構成が簡略化されている。
【００５９】
そして、本実施形態１に係る調湿装置（10）の除湿モジュール（20）は、上述の通り、冷媒冷却式除湿モジュール（48）と液式除湿モジュール（21）とを有する。それ故、イオン液体のように吸湿性能が比較的低い液体を液体吸収剤として用いても、更に、空調負荷が比較的高いとしても、被処理空気は２つのモジュール（48,21）により十分に除湿された状態にて室内に供給される。また、被処理空気の除湿を行うモジュール（48,21）が２つあるため、冷媒冷却式除湿モジュール（48）における除湿量と液式除湿モジュール（21）における除湿量の比を、設計段階や制御段階にて調整することも可能であり、設計の自由度が大きいと言える。
【００６０】
一方で、調湿装置（10）の再生側は、液体吸収剤の再生モジュール（31）のみであり、冷媒冷却式除湿モジュールのような液体吸収剤以外を使用したモジュールは存在しない。つまり、再生側の構成は、除湿側に比べて簡略化されていると言える。
【００６１】
−液式除湿モジュール（21）での空気流れ方向と液流れ方向との関係―
上述のように、液式除湿モジュール（21）の除湿側気液接触部（23）では、液体吸収剤と冷媒冷却式除湿モジュール（48）を通過後の被処理空気（外気（OA））とが接触して、外気（OA）は更に除湿される。図２に示すように、除湿側気液接触部（23）において液体吸収剤の流れ方向は上方から下方（即ち滴下方向）であるのに対し、この液体吸収剤に接触する外気（OA）の流れ方向は、冷媒冷却式除湿モジュール（48）側から液式除湿モジュール（21）側（図１の右側から左側）である。つまり、除湿側気液接触部（23）では、液体吸収剤の流れ方向と外気（OA）の流れ方向とが交差（具体的には直交）している。
【００６２】
図３は、従来例における液体吸収剤の流れ方向と外気（OA）の流れ方向とを表す。図３に示すように、従来例では、除湿側気液接触部（23）における液体吸収剤の流れ方向は、上方から下方（滴下方向）であって、本実施形態１の図２と同様である。しかしながら、この液体吸収剤に接触する外気（OA）の流れ方向は、液体吸収剤の流れ方向とは真逆であり、下方から上方である。つまり、図３では、液体吸収剤の流れ方向と外気（OA）の流れ方向とが対向流の関係にある。
【００６３】
図２及び図３において、冷媒冷却式除湿モジュール（48）を通過する外気（OA）の風量が同量であると仮定する。除湿側気液接触部（23）における外気（OA）の圧力損失を抑えるためには、除湿側気液接触部（23）が受ける外気（OA）の風速を抑えることが考えられる。その一手法として、外気（OA）を受ける除湿側気液接触部（23）の面の面積を大きくすることが考えられる。
【００６４】
対向流である図３（従来例）では、除湿側気液接触部（23）の外気（OA）を受ける面の面積を確保するために、液式除湿式モジュール（21）の設置面積を狭めることは困難である。従って、図３の従来例では、除湿モジュール（20）の小型化は望めない。
【００６５】
しかし、直交流である図２（本実施形態）では、除湿側気液接触部（23）における外気（OA）の通過方向（上下方向）の幅を短くすれば、液式除湿式モジュール（21）の設置面積を狭めることができ、除湿モジュール（20）の小型化が可能となる。
【００６６】
また、対向流（従来例）において、図３に示すように、除湿側気液接触部（23）における外気（OA）の通過方向（上下方向）の幅のみを狭めて除湿側気液接触部（23）の小型化を試みたとしても、液体吸収剤の拡散に必要な液流速を確保するために、液体吸収剤の流量はさほど変わらない。
【００６７】
これに対し、直交流（本実施形態）では、図２に示すように、除湿側気液接触部（23）における外気（OA）の通過方向（左右方向）の幅を狭めることで、液体吸収剤の流路幅が狭くなり、液流速は増加する。従って、液体吸収剤の必要流量を少なくしつつ、除湿側気液接触部（23）の小型化も図ることができる。
【００６８】
以上より、本実施形態では、除湿モジュール（20）のサイズを従来例に比して小型にすることができる。更に、液体吸収剤の流量を減少させることも可能であるため、図１のポンプ（37）の動力を図３に比して小さくすることもできる。
【００６９】
−コントローラ−
コントローラ（50）は、メモリ及びＣＰＵ等で構成されるマイクロコンピュータであって、調湿装置（10）を構成する各種機器（圧縮機（42）、ポンプ（37）、流量調整弁（39）、ファン（43a）、膨張弁（45））と電気的に接続されている。メモリ内に格納されているプログラムをＣＰＵが読み出して実行することで、コントローラ（50）は、接続された各種機器の動作を制御する。
【００７０】
具体的に、本実施形態１に係るコントローラ（50）は、冷媒の凝縮温度に基づくファン（43a）の運転制御、空調負荷に基づく各弁（39,45）の開度制御及びポンプ（37）の運転制御等を行う。以下では、コントローラ（50）が有する機能部のうち、ファン（43a）の運転制御を行う機能部である供給制御部（51）について説明する。
【００７１】
−供給制御部−
供給制御部（51）は、冷媒回路（40）における冷媒の凝縮温度が所定値を超える場合、ファン（43a）を運転させて放熱流体である外気（OA）を放熱用凝縮器（43）に供給させる。この場合、放熱用凝縮器（43）は、供給された外気（OA）に冷媒の熱を放出する。
【００７２】
一方、供給制御部（51）は、冷媒回路（40）における冷媒の凝縮温度が所定値以下の場合、ファン（43a）の運転を停止させて放熱用凝縮器（43）への外気（OA）の供給を停止させる。この場合、放熱用凝縮器（43）において、冷媒の熱は外気（OA）には放出されない。
【００７３】
冷媒の凝縮温度が所定値以下である場合にファン（43a）を運転させると、放熱用凝縮器（43）では、冷媒の凝縮温度が比較的低い状態であるにも拘わらず、冷媒は外気（OA）に放熱することとなる。すると、液加熱熱交換器（44）での液体吸収剤の加熱度合いは小さくなり、液体吸収剤は十分に再生できなくなってしまう。それ故、供給制御部（51）は、冷媒の凝縮温度が所定値以下の場合、放熱用凝縮器（43）に外気（OA）を供給させないように制御する。この制御により、液体吸収剤の再生不足を回避できるため、調湿装置（10）の除湿能力の低下を抑制することができる。
【００７４】
また、空調負荷が比較的小さく冷媒冷却式除湿モジュール（48）での発熱（凝縮熱）量がさほどない場合、除湿モジュール（20）側の発熱分を再生モジュール（31）での再生用空気への放熱分で十分に処理でき、冷媒の凝縮温度は比較的低くなる。そこで冷媒の凝縮温度が所定値以下である場合、調湿装置（10）では、ファン（43a）を停止し、ファン（43a）での消費電力分を削減する。
【００７５】
＜調湿装置の動作＞
ここでは、本実施形態１に係る調湿装置（10）の除湿動作について説明する。
【００７６】
冷媒回路（40）では、圧縮機（42）は運転し、放熱用凝縮器（43）及び液加熱熱交換器（44）は冷媒の凝縮器として機能し、液冷却熱交換器（46）及び冷媒冷却式除湿モジュール（48）は冷媒の蒸発器として機能する。
【００７７】
圧縮機（42）で圧縮された冷媒は、放熱用凝縮器（43）にて放熱流体（外気（OA））に放熱して凝縮された後、液加熱熱交換器（44）にて液体吸収剤に放熱して更に凝縮する。液加熱熱交換器（44）を流出した冷媒は、膨張弁（45）で減圧され、液冷却熱交換器（46）に流入する。
【００７８】
液冷却熱交換器（46）において、冷媒は、液体吸収剤から吸熱し、液体吸収剤を冷却する。その後、冷媒は、冷媒冷却式除湿モジュール（48）に流入し、該モジュール（48）を通過する被処理空気（外気（OA））から水分を吸収して蒸発し、当該空気を冷却除湿する。冷媒冷却式除湿モジュール（48）を通過後の冷媒は、圧縮機（42）に吸入される。
【００７９】
吸収剤回路（15）では、ポンプ（37）は作動し、流量調整弁（39）は所定の開度に調節される。液式除湿モジュール（21）では、液体吸収剤は、除湿側液体供給部（22）から除湿側気液接触部（23）へと滴下される。除湿側気液接触部（23）には、冷媒冷却式除湿モジュール（48）にて冷房除湿された被処理空気（外気（OA））が供給され、滴下された液体吸収剤は、当該空気から水分を吸収して当該空気を除湿する。冷媒冷却式除湿モジュール（48）及び液式除湿モジュール（21）の両方にて除湿された後の空気は、供給空気（SA）として室内に供給される。
【００８０】
被処理空気（外気（OA））から水分を吸収した液体吸収剤は、濃度が薄まったものとなっており、除湿側気液接触部（23）の下部にある液槽（24）に貯留される。液槽（24）内の液体吸収剤は、接続配管（15d）を通過後、接続配管（15e）において液加熱熱交換器（44）側及び液冷却熱交換器（46）側それぞれに分岐して流れる。
【００８１】
液加熱熱交換器（44）側に流れた液体吸収剤は、当該熱交換器（44）にて冷媒によって加熱され、その後再生モジュール（31）に流入する。再生モジュール（31）に流入した液体吸収剤は、再生側液体供給部（32）から再生側気液接触部（33）へと滴下される。再生側気液接触部（33）には、再生用空気（室内空気（RA））が供給され、滴下された液体吸収剤は、当該空気に水分を放出する。これにより、液体吸収剤は、濃度が高い状態となり、再生される。再生された液体吸収剤は、再生側気液接触部（33）の下部にある再生側液受部（34）にて一旦受け止められた後、接続配管（15c）を介して液槽（24）に貯留される。即ち、液槽（24）には、再生モジュール（31）で濃度が濃くなった液体吸収剤と、液式除湿モジュール（21）で濃度が薄くなった液体吸収剤とが入れられて混合される。
【００８２】
なお、液体吸収剤の再生に利用された空気は、排気空気（EA）として屋外に排出される。
【００８３】
液冷却熱交換器（46）側に流れた液体吸収剤は、当該熱交換器（46）にて冷媒によって冷却され、その後液式除湿モジュール（21）に流入する。液式除湿モジュール（21）に流入した液体吸収剤は、再び除湿側液体供給部（22）から除湿側気液接触部（23）へと滴下される。
【００８４】
＜液槽における液体吸収剤について＞
上述の通り、液槽（24）には、再生されて濃度が濃くなった液体吸収剤と、除湿に利用されて濃度が薄まった液体吸収剤とが入れられて、混合される。混合された液体吸収剤は上述の通り吸収剤回路（15）内を循環するが、本実施形態１では、この混合に伴って除湿能力の低下等が引き起こされるおそれは低い。これは、以下の理由による。
【００８５】
除湿モジュール（20）では、上述したように、液式除湿モジュール（21）及び冷媒冷却式除湿モジュール（48）の２つのモジュールにて２段階に亘って被処理空気（外気（OA））を除湿する構成となっている。特に、液式除湿モジュール（21）は、被処理空気の流れ方向下流側に位置するため、先に冷媒冷却式除湿モジュール（48）で冷却除湿された後の外気（OA）を、更に除湿する。それ故、液式除湿モジュール（21）の除湿量は、冷媒冷却式除湿モジュール（48）が設けられていない場合に比して低く、液式除湿モジュール（21）における液体吸収剤の濃度は、滴下前と滴下後とで約１％以下の程度しか変わらない。
【００８６】
また、２段階に亘って被処理空気（外気（OA））を除湿する構成であるため、液式除湿モジュール（21）が除湿動作で使用する液体吸収剤の量は、冷媒冷却式除湿モジュール（48）が設けられておらず液式除湿モジュールのみで除湿を行う場合に比して少ない。それ故、液式除湿モジュール（21）において上記の程度濃度が変化した液体吸収剤が液槽（24）に入る量も、当然少なくなる。
【００８７】
以上に鑑みると、液槽（24）において、再生されて濃度が濃くなった液体吸収剤と、除湿に利用されて濃度が薄まった液体吸収剤とが混合されても、当該混合による濃度変化の度合いは非常に小さいと言える。混合された液体吸収剤を液式除湿モジュール（21）の除湿に利用する本実施形態１での除湿能力は、仮に再生モジュール（31）で再生された直後の液体吸収剤を液式除湿モジュール（21）の除湿に直接使用したとした場合の除湿能力と比較しても、同程度である。
【００８８】
従って、液式除湿モジュール（21）側及び再生モジュール（31）側それぞれに専用の液槽を設けるのではなく、本実施形態１のように、液式除湿モジュール（21）及び再生モジュール（31）の共通となる液槽（24）を、サイズを大型化させることなく設けることができる。サイズが大型化していない液槽（24）を１つ設けることから、調湿装置（10）のサイズを小さくすることができ、調湿装置（10）の製造コストも液槽（24）が１つで済むため削減することができる。
【００８９】
＜効果＞
本実施形態１では、液体吸収剤は、液冷却熱交換器（46）にて冷媒により冷却され、その後、液式除湿モジュール（21）に供給される。液式除湿モジュール（21）では、液体吸収剤を用いて被処理空気（外気（OA））から水分を吸収して、該空気を除湿する。一方で、液体吸収剤は、液加熱熱交換器（44）にて冷媒により加熱され、その後、再生モジュール（31）に供給される。再生モジュール（31）では、液式除湿モジュール（21）にて被処理空気から水分を吸収することにより濃度が薄められた液体吸収剤が、逆に水分を再生用空気に放出することによって再生される。
【００９０】
特に、本実施形態１に係る上記被処理空気（外気（OA））は、先ずは冷媒冷却式除湿モジュール（48）にて冷媒により冷却除湿され、その後に液式除湿モジュール（21）にて除湿され、室内に供給される。これにより、液体吸収剤の吸湿性能の高低に拘わらず、且つ、液式除湿モジュール（21）において液体吸収剤と空気との接触面積をあえて大きくせずとも、被処理空気を十分に除湿することができる。即ち、本実施形態１によれば、利用できる液体吸収剤の種類が増加する。
【００９１】
また、除湿を、前段の冷媒冷却式除湿モジュール（48）と後段の液式除湿モジュール（21）とを用いて行うため、液体吸収剤の量は、液体吸収剤のみを用いて除湿を行う場合よりも少なくて済み、更にはその分液槽（24）の大きさを大きくする必要がないため、調湿装置（10）の小型化及びコストダウンを図ることができる。また、前段の冷媒冷却式除湿モジュール（48）の蒸発温度を、冷媒冷却式除湿モジュールのみで除湿する場合よりも高くすることができるため、除湿効率は良好となる。２段階で除湿を行うため、液式除湿モジュール（21）での除湿量が液式除湿モジュールのみで除湿を行う場合よりも抑えられ、再生のためのエネルギーを削減することもできる。
【００９２】
更に、冷媒冷却式除湿モジュール（48）、液冷却熱交換器（46）及び液加熱熱交換器（44）は、１の冷媒回路（40）に接続されている。従って、例えば冷媒の循環量を変化させる等により除湿の程度を制御することができる。
【００９３】
また、本実施形態１では、放熱用凝縮器（43）が備えられている。放熱用凝縮器（43）は、冷媒冷却式除湿モジュール（48）通過後の冷媒を室内の空気以外に放熱させるものである。これにより、冷媒冷却式除湿モジュール（48）における発熱分を放熱することができ、冷媒の凝縮温度の上昇が抑えられる。従って、冷媒の凝縮温度の上昇に伴う調湿装置（10）全体の除湿効率の悪化及び異常による除湿動作停止が生じることを回避できる。
【００９４】
また、本実施形態１では、空調負荷が比較的小さく冷媒冷却式除湿モジュール（48）での発熱（凝縮熱）量がさほどない場合、冷媒冷却式除湿モジュール（48）の発熱（吸着熱）分を再生モジュール（31）での再生用空気への放熱分で十分にまかなえ、冷媒の凝縮温度は比較的低くなる。そこで本実施形態１では、冷媒の凝縮温度が所定値以下の場合、ファン（43a）を停止して、放熱用凝縮器（43）への外気（OA）の供給を停止する。従って、冷媒の凝縮温度が所定値以下の場合に放熱用凝縮器（43）にて熱交換動作が行われる場合よりも、液体吸収剤の再生温度は上昇し、液体吸収剤は十分に再生される。また、放熱用熱交換器（43）への放熱流体の供給を停止する分、ファン（43a）での消費電力分が削減される。
【００９５】
≪実施形態２≫
＜構成＞
本実施形態２の調湿装置（10）の構成を図４に示す。図４では、吸収剤回路（15）の構成は図１と同様であるが、冷媒回路（40）の構成が図１とは若干異なる。なお、図４では、図１と対応する構成に、図１と同様の符合を付している。以下では、構成の異なる部分についてのみ説明する。
【００９６】
液体吸収剤は、上記実施形態１と同様である。
【００９７】
−冷媒回路−
冷媒回路（40）は、圧縮機（42）、放熱用凝縮器（43）、液加熱熱交換器（44）、第１膨張弁（45a）、第２膨張弁（45b）、液冷却熱交換器（46）及び冷媒冷却式除湿モジュール（48）が、接続配線（40a〜40h）を介して接続されることで構成されている。放熱用凝縮器（43）付近には、ファン（43a）が配置されている。
【００９８】
本実施形態２では、冷却熱交換器（46）及び冷媒冷却式除湿モジュール（48）の接続構成が図１とは異なるが、それ以外の構成は図１で示した上記実施形態１と同様である。
【００９９】
−第１膨張弁及び第２膨張弁−
液加熱熱交換器（44）の冷媒出口には、接続配管（40d）の一端が接続されている。接続配管（40d）の他端は、接続配管（40e）及び接続配管（40g）の一端それぞれと接続されている。つまり、冷媒の流れる経路は、接続配管（40d）の他端から２つに分岐されている。うち１経路である接続配管（40e）上には、第１膨張弁（45a）が接続され、他経路である接続配管（40g）上には、第２膨張弁（45b）が接続されている。
【０１００】
第１膨張弁（45a）及び第２膨張弁（45b）は、電子膨張弁で構成されている。第１膨張弁（45a）及び第２膨張弁（45b）は、開度を変更することで、冷媒回路（40）を循環する冷媒を減圧し、また、接続配管（40e,40f）及び接続配管（40g,40h）それぞれを流れる冷媒の流量を調整する。
【０１０１】
接続配管（40e）の他端は、冷媒冷却式除湿モジュール（48）の冷媒の入口と接続され、接続配管（40g）の他端は、液冷却熱交換器（46）の冷媒通路の入口と接続されている。第１膨張弁（45a）及び冷媒冷却式除湿モジュール（48）は、第２膨張弁（45b）及び液冷却熱交換器（46）と並列に接続されている。従って、冷媒冷却式除湿モジュール（48）には、第１膨張弁（45a）にて減圧され流入量が調節された冷媒が流入し、液冷却熱交換器（46）には、第２膨張弁（45b）にて減圧され流入量が調節された冷媒が流入する。
【０１０２】
−コントローラ−
本実施形態２に係る調湿装置（10）は、コントローラ（50）を備える。コントローラ（50）は、ファン（43a）の運転を制御する供給制御部（51）としての機能の他、以下に述べるモード運転制御部（52）としての機能も有する。
【０１０３】
−モード運転制御部−
空調負荷の程度によっては、冷媒冷却式除湿モジュール（48）は必要とせず、液式除湿モジュール（21）のみによって被処理空気の除湿を行えばよい場合や、その逆の場合もあり得る。例えば、顕熱負荷の処理のみを必要とする場合であっても、上記実施形態１に示すように、液式除湿モジュール（21）及び冷媒冷却式除湿モジュール（48）の双方を用いて除湿を行うとなれば、顕熱負荷の処理のみならず潜熱負荷の処理にもエネルギーが費やされることになる。上記実施形態１の構成では、潜熱負荷の処理に費やされるエネルギーと顕熱負荷の処理に費やされるエネルギーとの比率を調整することは困難である。
【０１０４】
そこで、図５に示すように、モード運転制御部（52）は、主に空調負荷の状態に応じて、調湿装置（10）の運転モードを以下の５つのいずれかに切り換えるように、吸収剤回路（15）及び冷媒回路（40）を制御する。これにより、ポンプ（37）や圧縮機（42）を不要な場合は停止させることができ、これらの機器（37,42）の消費電力量を削減することができる。
（運転モード１）液式除湿モジュール（21）及び冷媒冷却式除湿モジュール（48）の両方によって被処理空気が除湿され、且つ、冷媒が冷媒回路（40）内を循環するモード
（運転モード２）被処理空気は液式除湿モジュール（21）のみで除湿され、且つ、冷媒が冷媒回路（40）内を循環するモード
（運転モード３）被処理空気は液式除湿モジュール（21）のみで除湿され、且つ、冷媒は循環せずに液体吸収剤が吸収剤回路（15）内を循環するモード
（運転モード４）被処理空気は冷媒冷却式除湿モジュール（48）のみで除湿され、液体吸収剤は吸収剤回路（15）内を循環しないモード
（運転モード５）被処理空気は冷媒冷却式除湿モジュール（48）及び液式除湿モジュール（21）で除湿されるが、液体吸収剤の加熱及び冷却は行われず、液体吸収剤は吸収剤回路（15）内を循環するモード
上記運転モード１及び上記運転モード５は、第１除湿運転モードに相当する。上記運転モード２及び上記運転モード３は、第２除湿運転モードに相当する。上記運転モード４は、第３除湿運転モードに相当する。
【０１０５】
図５に示すように、上記運転モード１は、空調負荷が第１所定負荷以上である高負荷時に選択される。運転モード１では、外気（OA）は双方の除湿モジュール（21,48）で除湿されるため、潜熱負荷及び顕熱負荷が共に高い場合に好適である。
【０１０６】
上記運転モード２は、空調負荷が、第１所定負荷を下回っており、且つ、第１所定負荷よりも低い第２所定負荷以上である中負荷時に選択される。また、運転モード２では、外気（OA）は、冷媒冷却式除湿モジュール（48）では冷却除湿されずに液式除湿モジュール（21）にて除湿されるため、空調負荷が、顕熱負荷はさほど高くはないが潜熱負荷が高いような場合にも好適である。
【０１０７】
上記運転モード３は、空調負荷が第２所定負荷を下回る時に低負荷時に選択される。
【０１０８】
上記運転モード４では、被処理空気（外気（OA））は、液式除湿モジュール（21）では除湿されず冷媒冷却式除湿モジュール（48）でのみ冷却除湿される。そのため、上記運転モード４は、空調負荷が、顕熱負荷は高いものの潜熱負荷はさほど高くないような場合、即ち、積極的に顕熱負荷を処理するべき時に選択される。また、運転モード４は、例えば調湿装置（10）の立ち上げ時にも好適である。
【０１０９】
上記運転モード５は、除湿モジュール（20）で除湿に利用される直前の液体吸収剤の濃度が既に比較的高く、除湿直前にあえて液冷却熱交換器（46）で冷却せずとも良い場合に選択される。
【０１１０】
なお、空調負荷は、被処理空気（外気（OA））の除湿モジュール（20）への流入口における温度及び湿度、室内の目標温度及び目標湿度に基づいて算出することができる。一例としては、目標温度と流入口における外気（OA）の温度との差から顕熱負荷が算出され、目標湿度と流入口における外気（OA）の湿度との差から潜熱負荷が算出されてもよい。
【０１１１】
このように、主に空調負荷に応じて運転モードを切り換えることにより、潜熱処理及び顕熱処理の優先度合いを適宜変化させることができる。
【０１１２】
＜調湿装置の動作＞
各運転モード１〜５での調湿装置（10）の動作について、図６〜図１０を用いて説明する。
【０１１３】
−運転モード１−
冷媒回路（40）では、冷媒が液冷却熱交換器（46）及び冷媒冷却式除湿モジュール（48）に分岐されて流れる。
【０１１４】
具体的には、図６に示すように、冷媒回路（40）では、圧縮機（42）は運転し、放熱用凝縮器（43）及び液加熱熱交換器（44）は冷媒の凝縮器として機能し、液冷却熱交換器（46）及び冷媒冷却式除湿モジュール（48）は冷媒の蒸発器として機能する。第１膨張弁（45a）及び第２膨張弁（45b）は共に所定の開度を有する。
【０１１５】
圧縮機（42）で圧縮された冷媒は、放熱用凝縮器（43）にて放熱用流体（外気（OA））に放熱して凝縮された後、液加熱熱交換器（44）にて液体吸収剤に放熱して更に凝縮する。液加熱熱交換器（44）を流出した冷媒は、接続配管（40d）から接続配管（40e）及び接続配管（40g）に分岐して流れる。各接続配管（40e,40g）に流れる冷媒は、第１膨張弁（45a）及び第２膨張弁（45b）それぞれにて減圧される。
【０１１６】
第１膨張弁（45a）にて減圧された冷媒は、冷媒冷却式除湿モジュール（48）において、該モジュール（48）を通過する被処理空気（外気（OA））から水分を吸収して蒸発し、外当該空気を冷却除湿する。第２膨張弁（45b）にて減圧された冷媒は、液冷却熱交換器（46）において液体吸収剤から吸熱して蒸発する。冷媒冷却式除湿モジュール（48）から流出した冷媒と、液冷却熱交換器（46）から流出した冷媒は、接続配管（40h,40f,,40a）の合流点にて合流し、圧縮機（42）に吸入される。
【０１１７】
吸収剤回路（15）では、液加熱熱交換器（44）及び液冷却熱交換器（46）において液体吸収剤の加熱及び冷却が行われる。具体的な吸収剤回路（15）の動作は、上記実施形態１に係る吸収剤回路（15）の動作と同様であるため、説明は省略する。
【０１１８】
これにより、除湿モジュール（20）では、被処理空気（外気（OA））は、冷媒冷却式除湿モジュール（48）と液式除湿モジュール（21）とで順に除湿され、供給空気（SA）として室内に供給される。液槽（24）には、再生モジュール（31）で濃度が濃くなった液体吸収剤と、液式除湿モジュール（21）で濃度が薄くなった液体吸収剤とが混合される。
【０１１９】
なお、液体吸収剤の再生に利用された空気は、排気空気（EA）として屋外に排出される。
【０１２０】
−運転モード２−
冷媒回路（40）においては、図７に示すように、接続配管（40e,40f）を冷媒が流れないため、冷媒冷却式除湿モジュール（48）では被処理空気（外気（OA））の冷却除湿が行われず、ドレンパン（48a）に結露水は貯留されないが、それ以外は図６と同様である。
【０１２１】
具体的に、冷媒回路（40）では、圧縮機（42）は運転し、放熱用凝縮器（43）及び液加熱熱交換器（44）は冷媒の凝縮器として機能し、液冷却熱交換器（46）は冷媒の蒸発器として機能する。第１膨張弁（45a）は全閉の状態であって、第２膨張弁（45b）は所定の開度を有する。
【０１２２】
圧縮機（42）で圧縮された冷媒は、放熱用凝縮器（43）にて放熱用流体（外気（OA））に放熱して凝縮された後、液加熱熱交換器（44）にて液体吸収剤に放熱して更に凝縮する。液加熱熱交換器（44）を流出した冷媒は、接続配管（40e）へは流れず、全て接続配管（40g）に流れ、第２膨張弁（45b）にて減圧される。減圧された冷媒は、液冷却熱交換器（46）において液体吸収剤から吸熱して蒸発し、その後圧縮機（42）に吸入される。
【０１２３】
吸収剤回路（15）では、液加熱熱交換器（44）及び液冷却熱交換器（46）において液体吸収剤の加熱及び冷却が行われる。具体的な吸収剤回路（15）の動作は、上記実施形態１に係る吸収剤回路（15）の動作と同様であるため、説明は省略する。
【０１２４】
これにより、除湿モジュール（20）では、被処理空気（外気（OA））は、液式除湿モジュール（21）のみにて除湿され、供給空気（SA）として室内に供給される。液槽（24）には、再生モジュール（31）で濃度が濃くなった液体吸収剤と、液式除湿モジュール（21）で濃度が薄くなった液体吸収剤とが混合される。
【０１２５】
なお、液体吸収剤の再生に利用された空気は、排気空気（EA）として屋外に排出される。
【０１２６】
−運転モード３−
図８に示すように、冷媒回路（40）では、圧縮機（42）は運転を停止し、第１膨張弁（45a）及び第２膨張弁（45b）は共に全閉の状態である。従って、運転モード３では、冷媒は、冷媒回路（40）内を循環せず、冷媒回路（40）は、吸収剤回路（15）のヒートポンプ熱源としては機能しない。冷媒冷却式除湿モジュール（48）では、被処理空気（外気（OA））の冷却除湿は行われず、ドレンパン（48a）に結露水は貯留されない。
【０１２７】
吸収剤回路（15）では、液体吸収剤は循環するが、液体吸収剤は冷媒との間での熱交換を行わない。即ち、液体吸収剤の加熱及び冷却は行われない。液式除湿モジュール（21）には、冷媒冷却式除湿モジュール（48）で冷房除湿されていない被処理空気（外気（OA））が通過する。
【０１２８】
具体的に、吸収剤回路（15）では、ポンプ（37）は作動し、流量調整弁（39）は所定の開度に調節される。液式除湿モジュール（21）では、液体吸収剤は、除湿側液体供給部（22）から除湿側気液接触部（23）へと滴下される。除湿側気液接触部（23）には、冷媒冷却式除湿モジュール（48）で調湿されてない被処理空気（外気（OA））が通過し、滴下された液体吸収剤は、当該空気から水分を吸収して該空気を除湿する。液式除湿モジュール（21）にて除湿された後の空気は、供給空気（SA）として室内に供給される。
【０１２９】
被処理空気（外気（OA））から水分を吸収し濃度が薄まった液体吸収剤は、液槽（24）に一旦貯留され、その後液加熱熱交換器（44）側及び液冷却熱交換器（46）側それぞれに流れる。
【０１３０】
液加熱熱交換器（44）側に流れた液体吸収剤は、冷媒と熱交換することなく当該熱交換器（44）を通過して再生モジュール（31）に流入する。再生モジュール（31）に流入した液体吸収剤は、再生側液体供給部（32）から再生側気液接触部（33）へと滴下される。再生側気液接触部（33）に滴下された液体吸収剤は、供給された再生用空気（室内空気（RA））に水分を放出して濃度が高い状態となり、再生される。当該液体吸収剤は、その後再生側液受部（34）にて一旦受け止められ、接続配管（15c）を介して液槽（24）に貯留される。
【０１３１】
なお、液体吸収剤の再生に利用された空気は、排気空気（EA）として屋外に排出される。
【０１３２】
液冷却熱交換器（46）側に流れた液体吸収剤は、冷媒と熱交換することなく当該熱交換器（46）を通過して液式除湿モジュール（21）に流入する。液式除湿モジュール（21）に流入した液体吸収剤は、再び除湿側液体供給部（22）から除湿側気液接触部（23）へと滴下される。
【０１３３】
これにより、除湿モジュール（20）では、被処理空気（外気（OA））は、液式除湿モジュール（21）のみにて除湿され、供給空気（SA）として室内に供給される。液槽（24）には、再生モジュール（31）で濃度が濃くなった液体吸収剤と、液式除湿モジュール（21）で濃度が薄くなった液体吸収剤とが混合される。
【０１３４】
特に、運転モード３では、液加熱熱交換器（44）及び液冷却熱交換器（46）にて液体吸収剤が冷媒によって加熱及び冷却がなされない。従って、運転モード３における被処理空気（外気（OA））の除湿の程度は、上記運転モード２よりも低くなる。
【０１３５】
−運転モード４−
図９に示すように、吸収剤回路（15）では、ポンプ（37）は作動せず、吸収剤回路（15）内を液体吸収剤は循環しない。従って、吸収剤回路（15）では、液式除湿モジュール（21）での除湿動作、再生モジュール（31）の再生動作、各熱交換器（44,46）での液体吸収剤と冷媒との熱交換動作（即ち、液体吸収剤の加熱及び冷却）は行われない。
【０１３６】
冷媒回路（40）では、圧縮機（42）は運転し、第１膨張弁（45a）は所定の開度を有し、第２膨張弁（45b）は全閉の状態である。冷媒は、放熱用凝縮器（43）、液加熱熱交換器（44）及び冷媒冷却式除湿モジュール（48）の間を循環するが、液冷却熱交換器（46）には流れない。
【０１３７】
具体的に、圧縮機（42）で圧縮された冷媒は、放熱用凝縮器（43）にて被処理空気（外気（OA））に放熱して凝縮された後、液加熱熱交換器（44）に流入する。当該冷媒は、液体吸収剤と熱交換することなく液加熱熱交換器（44）を通過すると、接続配管（40d）から接続配管（40g）へは流れずに、接続配管（40d）から接続配管（40e）に全て流れ、第１膨張弁（45a）にて減圧される。減圧された冷媒は、冷媒冷却式除湿モジュール（48）において被処理空気（外気（OA））を冷却除湿して蒸発し、その後圧縮機（42）に吸入される。
【０１３８】
これにより、冷媒冷却式除湿モジュール（48）において冷却除湿された被処理空気（外気（OA））は、液式除湿モジュール（21）で更に除湿されることなく、供給空気（SA）として室内に供給される。冷媒冷却式除湿モジュール（48）では、ドレンパン（48a）に結露水が貯留され、当該結露水は、ドレン排出配管（48b）を介して排出される。
【０１３９】
また、吸収剤回路（15）内を液体吸収剤は循環しないため、各モジュール（21,31）からの液体吸収剤が液槽（24）に流入することはない。
【０１４０】
−運転モード５−
図１０に示すように、冷媒回路（40）では、図９に係る上記運転モード４と同様の動作が行われる。吸収剤回路（15）では、上記運転モード４とは異なり、比較的濃い濃度の液体吸収剤が循環する。この運転モード５では、液加熱熱交換器（44）及び液冷却熱交換器（46）において、液体吸収剤が冷媒によって加熱及び冷却がなされない。しかしながら、液体吸収剤の濃度が比較的濃いため、液式除湿モジュール（21）において除湿動作が行われる。
【０１４１】
これにより、除湿モジュール（20）では、外気（OA）は、冷媒冷却式除湿モジュール（48）と液式除湿モジュール（21）とにおいて順に除湿され、供給空気（SA）として室内に供給される。液槽（24）には、循環し続ける比較的濃い液体吸収剤が貯留される。
【０１４２】
−運転モードの選択について−
上記動作をまとめると、上記運転モード２，３は、冷媒冷却式除湿モジュール（48）を使用しないモードと言うことができる。上記運転モード３，４，５は、液冷却熱交換器（46）において液体吸収剤の冷却がなされないモードと言うことができる。
【０１４３】
冷媒冷却式除湿モジュール（48）は、被処理空気（外気（OA））の除湿モジュール（20）への流入口における温度が比較的高い場合に用いられると良い。液冷却熱交換器（46）は、被処理空気（外気（OA））の除湿モジュール（20）への流入口における湿度が比較的高く、液体吸収剤を用いた除湿動作が必要な場合に用いられると良い。
【０１４４】
従って、室内の温度及び湿度の双方が高い場合は、冷媒冷却式除湿モジュール（48）での被処理空気（外気（OA））の冷却除湿のみならず、液式除湿モジュール（21）で除湿に利用される前の液体吸収剤を液冷却熱交換器（46）にて除湿する動作も行われる、上記運転モード１が望ましいと言える。
【０１４５】
＜効果＞
本実施形態２に係る調湿装置（10）は、上記実施形態１に係る効果に加え、以下の効果を奏する。
【０１４６】
本実施形態２では、上述した運転モード１〜５いずれかで動作されるように、モード運転制御部（52）は、吸収剤回路（15）及び冷媒回路（40）を制御する。これにより、例えば空調負荷に応じた適切な除湿運転がなされる。
【０１４７】
≪実施形態３≫
上記実施形態１，２それぞれにおいて、更に、液体吸収剤の温度及び被処理空気（外気（OA））の温度が“液式除湿モジュール（21）の液体吸収剤の入口温度≦冷媒冷却式除湿モジュール（48）の空気の出口温度”の条件を満たすように、コントローラ（50）（冷媒回路制御部に相当）が冷媒回路（40）を制御してもよい。即ち、本実施形態に係るコントローラ（50）は、液式除湿モジュール（21）にて除湿される前であって且つ冷媒冷却式除湿モジュール（48）から流出した後の被処理空気（外気（OA））の温度が、液式除湿モジュール（21）に流入する液体吸収剤の温度以上となるように、冷媒回路（40）を制御する。
【０１４８】
図１１を用いて、液体吸収剤の温度及び外気（OA）の温度それぞれの測定手法と、冷媒回路（40）の制御手法とについて、一例を説明する。図１１は、上記実施形態２において、本実施形態の上記制御が行われる場合の調湿装置（10）の構成を図示している。
【０１４９】
図１１に示すように、調湿装置（10）には、外気（OA）の温度を測定する空気温度センサ（T1）、液体吸収剤の温度を測定する液温度センサ（T2）が設けられている。空気温度センサ（T1）は、冷媒冷却式除湿モジュール（48）の外気（OA）の出口付近に設けられ、液式除湿モジュール（21）にて除湿される前であって且つ冷媒冷却式除湿モジュール（48）から流出した後の外気（OA）の温度を検知する。液温度センサ（T2）は、除湿側液体供給部（22）における液体吸収剤の滴下口付近に設けられ、除湿側液体供給部（22）から除湿側気液接触部（23）へと滴下される液体吸収剤の温度を検知する。
【０１５０】
また、調湿装置（10）には、２つの温湿度センサ（T3,T4）が更に設けられている。温湿度センサ（T3）は、冷媒冷却式除湿モジュール（48）の外気（OA）の入口付近に設けられ、冷媒冷却式除湿モジュール（48）に供給される外気（OA）（即ち除湿前の外気（OA））の温度及び湿度を検知する。温湿度センサ（T4）は、再生モジュール（31）の室内空気（RA）の入口付近に設けられ、再生モジュール（31）に供給される室内空気（RA）（即ち液体吸収剤の再生に利用される前の室内空気）の温度及び湿度を検知する。
【０１５１】
コントローラ（50）は、温湿度センサ（T4）によって検知された室内空気（RA）の湿度または室内への供給空気（SA）の設定温度と、温湿度センサ（T3）によって検知された外気（OA）の温度および湿度とに応じて、液式除湿モジュール（21）の液体吸収剤の入口温度及び冷媒冷却式除湿モジュール（48）の空気の出口温度の各目標値を決定する。各目標値は、“液式除湿モジュール（21）の液体吸収剤の入口温度≦冷媒冷却式除湿モジュール（48）の空気の出口温度”を満たす演算式等を用いて、決定されることが好ましい。
【０１５２】
なお、上記演算式は、机上計算または実験式等によって定められる。
【０１５３】
次いで、コントローラ（50）は、空気温度センサ（T1）の実際の検出値が冷媒冷却式除湿モジュール（48）の空気の出口温度の目標値に達し、且つ、液温度センサ（T2）の実際の検出値が液式除湿モジュール（21）の液体吸収剤の入口温度の目標値に達するように、圧縮機（42）の出力である回転数（運転周波数）、第１膨張弁（45a）及び第２膨張弁（45b）それぞれの開度を調節する。
【０１５４】
図１２は、上記実施形態１において、本実施形態の上記制御が行われる場合の調湿装置（10）の構成を図示している。図１２においても、上述した説明と同様に、“液式除湿モジュール（21）の液体吸収剤の入口温度≦冷媒冷却式除湿モジュール（48）の空気の出口温度”の条件を満たすように冷媒回路（40）を制御する手法を採用できる。
【０１５５】
＜効果＞
本実施形態では、上記実施形態１，２に係る効果に加えて以下の効果を奏する。
【０１５６】
本実施形態に係るコントローラ（50）は、液式除湿モジュール（21）にて除湿される前であって且つ冷媒冷却式除湿モジュール（48）から流出した後の外気（OA）の温度が、液式除湿モジュール（21）に流入する液体吸収剤の温度以上となるように、冷媒回路（40）を制御する。これにより、冷媒冷却式除湿モジュール（48）にて外気（OA）を過度に冷却除湿してしまい、液式除湿モジュール（21）での除湿量が非常に少なくなった結果、除湿装置（10）全体としての外気（OA）の除湿効率が悪化することを回避できる。また、冷媒冷却式除湿モジュール（48）にて冷却除湿した外気（OA）を液式除湿モジュール（21）にて液体吸収剤で再熱するような、いわゆる再熱ロスの発生を防ぐことができる。
【０１５７】
≪その他の実施形態≫
図１３に示すように、冷媒冷却式除湿モジュール（48）は複数設けられていても良い。図１３では、冷媒冷却式除湿モジュール（48）が第１モジュール（48c）と第２モジュール（48d）とを有する場合を例示している。
【０１５８】
第１モジュール（48c）及び第２モジュール（48d）は、被処理空気である外気（OA）の流れ方向に対し、第２モジュール（48d）が第１モジュール（48c）よりも空気の流れ方向上流側に位置するように配置されている。第１モジュール（48c）は、冷媒回路（40）（例えば、図１の液冷却熱交換器（46）及び圧縮機（42））に接続されており、第２モジュール（48d）は、冷媒回路（40）及び吸収剤回路（15）のいずれにも接続されていない。これにより、被処理空気である外気（OA）は、先ずは第２モジュール（48d）にて顕熱処理がなされ、その後第１モジュール（48c）にて冷却除湿される。冷却除湿された後の被処理空気は、更に、液式除湿モジュール（21）にて液体吸収剤により除湿される。即ち、図１３では、外気（OA）は３段階にて調湿される。これにより、図１及び図４に比して、顕熱負荷と潜熱負荷をより適した温度で処理することができ、除湿効率は良好となる。
【０１５９】
特に、図１３では、第２モジュール（48d）が、例えば地中熱交や冷却塔等に接続された場合を例示している。これにより、第２モジュール（48d）では、異熱源を有効利用することができる。更に、第２モジュール（48d）と第１モジュール（48c）とで熱源が異なるため、第２モジュール（48d）における被処理空気の調湿度合と第１モジュール（48c）における被処理空気の調湿度合とを、確実に分けることができる。
【０１６０】
放熱用凝縮器（43）が放熱する放熱流体は、室内の空気（RA）以外であればよく、水であってもよい。この場合、放熱用凝縮器（43）は冷媒と水との熱交換器で構成される。室外機（41）には、図１及び図４のファン（43a）が設けられない代わりに、図１４に示すように、水を放熱用凝縮器（43）に供給するためのポンプ（62）を有する水循環回路（61）が設けられるとよい。これにより、放熱用凝縮器（43）は、冷媒冷却式除湿モジュール（48）における冷媒の凝縮熱を水に放出することができる。
【０１６１】
放熱用凝縮器（43）及びファン（43a）は必須ではなく、設けられていなくても良い。
【０１６２】
放熱用凝縮器（43）が設けられているとしても、放熱用凝縮器（43）への放熱流体の供給が停止される条件は、冷媒の凝縮温度が所定値以下の場合に限定されない。例えば、供給制御部（51）は、潜熱負荷が所定負荷以下である場合に、放熱用凝縮器（43）にて処理するべき冷媒冷却式除湿モジュール（48）での発熱（凝縮熱）量は存在しないと判断して、ファン（43a）の運転を停止してもよい。この場合、供給制御部（51）は、潜熱負荷が所定負荷を超える場合、放熱用凝縮器（43）にて処理するべき冷媒冷却式除湿モジュール（48）での発熱（凝縮熱）量が存在すると判断して、ファン（43a）を運転させる。潜熱負荷が所定負荷を超えるか否かは、外気（OA）の露点温度が冷媒の蒸発温度よりも高いか否かによって判断されてもよい。即ち、再生モジュール（31）の放熱分のみでは２つの除湿モジュール（21,48）の発熱量を処理することができない程に、冷媒冷却式除湿モジュール（48）での発熱（凝縮熱）量がある場合に、ファン（43a）が運転して放熱用凝縮器（43）での放熱が行われる。
【０１６３】
上記実施形態２に係る複数の運転モード１〜５は、上記実施形態２で記載した条件以外で切り換えられても良い。
【０１６４】
上記実施形態３において、液体吸収剤の温度は、液温度センサ（T2）を用いて直接的に検知する代わりに、例えば液冷却熱交換器（46）に連結された配管内の温度等を用いて推定されてもよい。また、被処理空気（外気（OA））の温度は、空気温度センサ（T1）を用いて直接的に検知する代わりに、例えば温湿度センサ（T3）の検知結果等を用いて推定されてもよい。
【産業上の利用可能性】
【０１６５】
以上説明したように、本発明は、液体吸収剤の吸湿性能の高低に拘わらず、且つ、液式除湿部において液体吸収剤と空気との接触面積をあえて大きくせずとも、被処理空気を十分に除湿することができる。そのため、本発明は、サイズの大きい調湿装置が設置困難な場所にも設置することができる調湿装置として有用である。
【符号の説明】
【０１６６】
10  調湿装置
15  吸収剤回路
21  液式除湿モジュール（液式除湿部）
31  再生部
37  ポンプ
40  冷媒回路
43  放熱用凝縮器（放熱用熱交換器）
46  液冷却熱交換器
48  冷媒冷却式除湿モジュール（冷媒冷却式除湿部）
50  コントローラ（冷媒回路制御部）
51  供給制御部
52  モード運転制御部
【図１】
2018118246.tif 000003
【図２】
2018118246.tif 000004
【図３】
2018118246.tif 000005
【図４】
2018118246.tif 000006
【図５】
2018118246.tif 000007
【図６】
2018118246.tif 000008
【図７】
2018118246.tif 000009
【図８】
2018118246.tif 000010
【図９】
2018118246.tif 000011
【図１０】
2018118246.tif 000012
【図１１】
2018118246.tif 000013
【図１２】
2018118246.tif 000014
【図１３】
2018118246.tif 000015
【図１４】
2018118246.tif 000016
【手続補正書】
【提出日】平成30年6月21日(2018.6.21)
【手続補正１】
【補正対象書類名】明細書
【補正対象項目名】全文
【補正方法】変更
【補正の内容】
【発明の詳細な説明】
【技術分野】
【０００１】
本発明は、液体吸収剤を用いて空気を調湿する調湿装置に関するものである。
【背景技術】
【０００２】
室内の湿度を調整する装置には、特許文献１に示すように、吸湿性を有する液体を液体吸収剤として用いたタイプがある。
【０００３】
特許文献１の調湿装置は、室内を除湿する除湿部（処理機）と、除湿に利用された液体吸収剤を再生する再生部（再生機）とを備える。除湿部（処理機）は、冷却された液体吸収剤に被処理空気を通すことにより該空気中の水分を吸収して該空気を除湿する。再生部は、除湿に用いられた後加熱された液体吸収剤に再生用空気を通すことにより、該液体吸収剤の水分を空気中に放出して液体吸収剤を再生する。
【０００４】
更に、特許文献１の除湿部は、気液接触部（コンタクタ）と液槽とを有する。冷却された液体吸収剤は、気液接触部において被処理空気と接触し、その後液槽に蓄えられる。
【先行技術文献】
【特許文献】
【０００５】
【特許文献１】特開２０１０−３６０９３号公報
【発明の概要】
【発明が解決しようとする課題】
【０００６】
上記特許文献１では、十分な除湿量を確保する方法として、除湿部の気液接触部の面積を大きくすることが考えられる。気液接触部の面積が大きい程、液体吸収剤と被処理空気との接触面が大きくなるからである。しかし、この方法を採用した場合、調湿装置が大型化する他、液体吸収剤の使用量も増加する。それ故、除湿装置のコストは高くなってしまう。また、液体吸収剤による除湿量が大きい程、再生部にて液体吸収剤を再生するために必要なエネルギーも大きくなってしまう。
【０００７】
一方、吸湿性能の比較的高い液体を液体吸収剤として使用することにより、除湿能力を向上させることも考えられる。しかし、このような性質を有する液体は、塩化リチウム及び臭化リチウム等の僅かな種類に限られる。
【０００８】
本発明は、かかる点に鑑みてなされたものであり、その目的は、使用する液体吸収剤の種類を問わず、且つ、除湿部の気液接触部の面積を大きくせずとも十分な除湿量を確保することである。
【課題を解決するための手段】
【０００９】
第１の発明は、液体吸収剤に被処理空気中の水分を吸収させて該被処理空気を除湿する液式除湿部（21）と、上記液体吸収剤の水分を再生用空気に放出させて上記液体吸収剤を再生する再生部（31）と、上記液式除湿部（21）及び上記再生部（31）の間で上記液体吸収剤を循環させることが可能なポンプ（37）と、が接続された吸収剤回路（15）と、上記吸収剤回路（15）に接続され、上記液式除湿部（21）にて除湿に利用される前の上記液体吸収剤を冷媒によって冷却する液冷却熱交換器（46）と、上記液式除湿部（21）よりも上記被処理空気の流れ方向上流側に位置し、上記液式除湿部（21）にて除湿される前の上記被処理空気を上記冷媒により冷却して除湿する冷媒冷却式除湿部（48）とを備え、上記液冷却熱交換器（46）及び上記冷媒冷却式除湿部（48）は、上記再生部（31）にて再生される前の上記液体吸収剤を上記冷媒によって加熱する液加熱熱交換器（44）と共に、１の冷媒回路（40）に接続され、上記冷媒冷却式除湿部（48）及び上記液式除湿部（21）において除湿された上記被処理空気は室内へ供給され、上記冷媒回路（40）には、更に、上記冷媒冷却式除湿部（48）通過後の上記冷媒を上記室内の空気以外の放熱流体に放熱させる放熱用熱交換器（43）が接続され、上記再生部（31）が上記液体吸収剤の再生に用いる上記再生用空気は、上記室内の空気であって、上記放熱用熱交換器（43）が放熱する上記放熱流体とは異なることを特徴とする調湿装置である。
【００１０】
ここでは、液体吸収剤は、冷媒回路（40）の液冷却熱交換器（46）にて冷媒により冷却され、その後、液式除湿部（21）に供給される。液式除湿部（21）では、液体吸収剤を用いて被処理空気から水分を吸収して、該空気を除湿する。一方で、液体吸収剤は、冷媒回路（40）の液加熱熱交換器（44）にて冷媒により加熱され、その後、再生部（31）に供給される。再生部（31）では、液式除湿部（21）にて被処理空気から水分を吸収することにより濃度が薄められた液体吸収剤が、逆に水分を再生用空気に放出することによって再生される。
【００１１】
特に、ここでは、被処理空気は、先ずは冷媒回路（40）における冷媒冷却式除湿部（48）にて冷媒により冷却除湿され、その後に液式除湿部（21）にて除湿される。これにより、液体吸収剤の吸湿性能の高低に拘わらず、且つ、液式除湿部（21）において液体吸収剤と被処理空気との接触面積をあえて大きくせずとも、被処理空気を十分に除湿することができる。
【００１２】
また、冷媒冷却式除湿部（48）、液冷却熱交換器（46）及び液加熱熱交換器（44）は、１の冷媒回路（40）に接続されている。従って、例えば冷媒の循環量を変化させる等により除湿の程度を制御することができる。
【００１３】
また、吸収剤回路（15）では、再生部（31）は、液式除湿部（21）の除湿性能と釣り合う再生能力を有するものが使用される。一方で、被処理空気は、冷媒冷却式除湿部（48）及び液式除湿部（21）により２段階に分けて除湿される。そのため、冷媒冷却式除湿部（48）が被処理空気の冷却除湿の際に発熱した熱量（凝縮熱量）分の放熱手段が別途必要となる。ここでは、その放熱手段として、放熱用熱交換器（43）が更に備えられている。放熱用熱交換器（43）は、冷媒冷却式除湿部（48）通過後の冷媒を室内の空気以外に放熱させる。これにより、冷媒冷却式除湿部（48）における発熱分を放熱することができ、冷媒の凝縮温度の上昇が抑えられる。従って、冷媒の凝縮温度の上昇に伴う調湿装置（10）全体の除湿効率の悪化及び異常による除湿動作停止が生じることを回避できる。
【００１４】
第２の発明は、第１の発明において、上記冷媒回路（40）における上記冷媒の凝縮温度が所定値以下の場合、上記放熱用熱交換器（43）への上記放熱流体の供給を停止する供給制御部（51）、を更に備えることを特徴とする調湿装置である。
【００１５】
空調負荷が比較的小さく冷媒冷却式除湿部（48）での発熱（凝縮熱）量がさほどない場合、冷媒冷却式除湿部（48）の発熱分を再生部（31）での再生空気への放熱分で十分に処理でき、冷媒の凝縮温度は比較的低くなる。そこで、ここでは、冷媒の凝縮温度が所定値以下の場合、放熱用熱交換器（43）への放熱流体の供給を停止することにより、放熱用熱交換器（43）における放熱流体と冷媒との熱交換動作が停止する。従って、冷媒の凝縮温度が所定値以下の場合に放熱用熱交換器（43）にて熱交換動作が行われる場合よりも、液体吸収剤の再生温度は上昇し、液体吸収剤は十分に再生される。また、放熱用熱交換器（43）への放熱流体の供給を停止する分、エネルギーを削減することができる。
【００１６】
第３の発明は、第１の発明または第２の発明において、上記被処理空気が、上記液式除湿部（21）及び上記冷媒冷却式除湿部（48）によって除湿される第１除湿運転モード、上記被処理空気が、上記冷媒冷却式除湿部（48）によって除湿されず上記液式除湿部（21）によって除湿される第２除湿運転モード、及び上記被処理空気が、上記液式除湿部（21）によって除湿されず上記冷媒冷却式除湿部（48）によって除湿される第３除湿運転モード、のいずれかで動作されるように、上記吸収剤回路（15）及び上記冷媒回路（40）を制御するモード運転制御部（52）、を更に備えることを特徴とする調湿装置である。
【００１７】
これにより、例えば空調負荷に応じた適切な除湿運転がなされる。
【００１８】
第４の発明は、第１の発明から第３の発明のいずれか１つにおいて、上記液式除湿部（21）にて除湿される前であって且つ上記冷媒冷却式除湿部（48）から流出した後の上記被処理空気の温度が、上記液式除湿部（21）に流入する上記液体吸収剤の温度以上となるように、上記冷媒回路（40）を制御する冷媒回路制御部（50）、を更に備えることを特徴とする調湿装置である。
【００１９】
これにより、冷媒冷却式除湿部（48）にて被処理空気を過度に冷却除湿してしまい、液式除湿部（21）での除湿量が非常に少なくなった結果、除湿装置（10）全体としての被処理空気の除湿効率が悪化することを回避できる。また、液式除湿部（21）での液体吸収剤による再熱ロスを防ぐことができる。
【発明の効果】
【００２０】
本発明によれば、液体吸収剤の吸湿性能の高低に拘わらず、且つ、液式除湿部（21）において液体吸収剤と空気との接触面積をあえて大きくせずとも、被処理空気を十分に除湿することができる。また、冷媒の循環量等を変化させる等により、除湿の程度を制御することも容易となる。
【図面の簡単な説明】
【００２１】
【図１】図１は、実施形態１の調湿装置の構成を概略的に示す図である。
【図２】図２は、液式除湿モジュールにおける液体吸収剤の流れ方向と該液体吸収剤に接触する空気の流れ方向とが直交する関係にある、実施形態１の場合を示す図である。
【図３】図３は、液式除湿モジュールにおける液体吸収剤の流れ方向と該液体吸収剤に接触する空気の流れ方向とが対向する関係にある、従来技術の場合を示す図である。
【図４】図４は、実施形態２の調湿装置の構成を概略的に示す図である。
【図５】図５は、実施形態２の調湿装置が行う各運転モード１〜５における、除湿動作の有無、液体吸収剤の循環の有無、運転条件を表す表である。
【図６】図６は、実施形態２の調湿装置が運転モード１にて運転する場合の、液体吸収剤の流れ及び冷媒の流れを示す図である。
【図７】図７は、実施形態２の調湿装置が運転モード２にて運転する場合の、液体吸収剤の流れ及び冷媒の流れを示す図である。
【図８】図８は、実施形態２の調湿装置が運転モード３にて運転する場合の、液体吸収剤の流れ及び冷媒の流れを示す図である。
【図９】図９は、実施形態２の調湿装置が運転モード４にて運転する場合の、液体吸収剤の流れ及び冷媒の流れを示す図である。
【図１０】図１０は、実施形態２の調湿装置が運転モード５にて運転する場合の、液体吸収剤の流れ及び冷媒の流れを示す図である。
【図１１】図１１は、実施形態３における説明図であって、実施形態２の調湿装置の構成において温度検知センサ等が設けられた状態を示す図である。
【図１２】図１２は、実施形態３における説明図であって、実施形態１の調湿装置の構成において温度検知センサ等が設けられた状態を示す図である。
【図１３】図１３は、その他の実施形態に係る調湿装置の構成を概略的に示す図である。
【図１４】図１４は、図１３とは別の調湿装置の構成を概略的に示す図である。
【発明を実施するための形態】
【００２２】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２３】
≪実施形態１≫
＜概要＞
本実施形態１に係る調湿装置（10）は、オフィスビルや住宅などの内部空間（以下、室内）を、主に液体吸収剤を用いて除湿する装置である。
【００２４】
図１に示すように、本実施形態１に係る調湿装置（10）は、空気を除湿する除湿モジュール（20）を備える。除湿モジュール（20）は、液体吸収剤を用いて除湿する液式除湿モジュール（21）（液式除湿部に相当）と、冷媒を用いて除湿する冷媒冷却式除湿モジュール（48）（冷媒冷却式除湿部に相当）とを含む。
【００２５】
このような調湿装置（10）は、液体吸収剤が循環する吸収剤回路（15）と、冷媒が循環する冷媒回路（40）とを備える。上記液式除湿モジュール（21）は、吸収剤回路（15）を構成する機器に含まれる。吸収剤回路（15）を構成する機器全ては、室内とは別の空間（例えば機械室）に設置される。冷媒回路（40）を構成する機器には、上記冷媒冷却式除湿モジュール（48）の他、圧縮機（42）及び放熱用凝縮器（43）（放熱用熱交換器に相当）が含まれる。圧縮機（42）及び放熱用凝縮器（43）は、室外機（41）に含まれ、屋外に設置される。冷媒回路（40）を構成する機器のうち、圧縮機（42）及び放熱用凝縮器（43）以外の機器は、上記吸収剤回路（15）を構成する機器と同様、室内とは別の空間（例えば機械室）に設置される。
【００２６】
−液体吸収剤−
上記液体吸収剤とは、空気中の水分（水蒸気）を吸収できる液体である。一般的に、調湿装置（10）にて用いられる液体吸収剤としては、塩化リチウム水溶液及び臭化リチウム水溶液が挙げられる。これらは、吸湿性能が優れているが、比較的高い腐食性を有する水溶液である。これらの水溶液を用いる場合、腐食防止のための対策を調湿装置（10）に別途講じる必要が生じるため、これらの水溶液を安全に使用することは困難である。
【００２７】
これに対し、本実施形態１では、上記水溶液よりも吸湿性能は劣るものの腐食性が低い性質の液体を液体吸収剤として用いることができる。当該液体は、腐食性が低いため安全に使用することができる。このような液体としては、イオン液体が挙げられる。イオン液体とは、イオンで構成される塩であって、摂氏１００度以下にて液体の状態である性質を有する。
【００２８】
＜調湿装置の構成＞
調湿装置（10）は、上記吸収剤回路（15）と、上記冷媒回路（40）と、各回路（15,40）における各種制御を行うためのコントローラ（50）とを備える。
【００２９】
−吸収剤回路−
吸収剤回路（15）は、液体吸収剤と空気との間における水分の授受を行うためのモジュールとして、上記液式除湿モジュール（21）、再生モジュール（31）（再生部に相当）を有する。更に、吸収剤回路（15）は、ポンプ（37）、流量調整弁（39）、液加熱熱交換器（44）及び液冷却熱交換器（46）を有する。吸収剤回路（15）は、各モジュール（21,31）及びポンプ（37）等が接続配管（15a〜15e）によって接続されることで構成されている。
【００３０】
−液式除湿モジュール−
液式除湿モジュール（21）は、液体吸収剤に被処理空気中の水分を吸収させて該被処理空気を除湿する。具体的に、液式除湿モジュール（21）は、除湿側液体供給部（22）と、除湿側気液接触部（23）と、液槽（24）とを有する。
【００３１】
除湿側液体供給部（22）は、例えば、接続配管（15a）の一端に接続された配管部分に、液体吸収剤を滴下するための滴下口が該配管部分の延設方向に並んで複数形成された構成を有する。
【００３２】
除湿側気液接触部（23）は、親水性の充填材で構成されており、除湿側液体供給部（22）の下方に位置する。除湿側気液接触部（23）は、被処理空気である外気（OA）が供給されると、この外気（OA）を、除湿側液体供給部（22）から滴下された液体吸収剤と接触させる。これにより、除湿側気液接触部（23）を通過した外気（OA）に含まれる水分量は、通過前よりも少なくなっており、除湿された状態となっている。つまり、除湿側気液接触部（23）に滴下され外気（OA）と接触した後の液体吸収剤の濃度は、除湿側気液接触部（23）に滴下される前よりも薄くなっている。
【００３３】
液槽（24）は、再生モジュール（31）よりも液式除湿モジュール（21）寄りであって、具体的には除湿側気液接触部（23）の下方に位置する。液槽（24）は、除湿側気液接触部（23）において外気（OA）と接触した後の液体吸収剤を受けるための除湿側液受部としての機能を兼ねており、除湿利用後の液体吸収剤を貯留する。即ち、本実施形態１に係る液式除湿モジュール（21）では、除湿側液受部と液槽とが併設されていない。これにより、除湿側液受部と液槽とを併設する場合に比して、調湿装置（10）のコスト上昇は抑えられる。
【００３４】
−再生モジュール−
再生モジュール（31）は、液体吸収剤の水分を再生用空気に放出させて液体吸収剤を再生する。具体的に、再生モジュール（31）は、再生側液体供給部（32）と、再生側気液接触部（33）と、再生側液受部（34）とを有する。
【００３５】
再生側液体供給部（32）は、例えば、接続配管（15b）の一端に接続された配管部分に、液体吸収剤を滴下するための滴下口が該配管部分の延設方向に並んで複数形成された構成を有する。
【００３６】
再生側気液接触部（33）は、親水性の充填材で構成されており、再生側液体供給部（32）の下方に位置する。再生側気液接触部（33）は、再生用空気である室内空気（RA）が供給されると、この室内空気（RA）を、再生側液体供給部（32）から滴下された液体吸収剤と接触させる。これにより、滴下された液体吸収剤に含まれる水分量は、再生用空気に放出され、再生側気液接触部（33）を通過した液体吸収剤の濃度は、再生側気液接触部（33）に滴下される前よりも濃くなっている。
【００３７】
再生側液受部（34）は、液式除湿モジュール（21）よりも再生モジュール（31）寄りであって、具体的には再生側気液接触部（33）の下方に位置する。再生側液受部（34）は、再生側気液接触部（33）において室内空気（RA）と接触し再生された液体吸収剤を受ける。再生側液受部（34）と液槽（24）とは、接続配管（15c）によって接続されており、再生側液受部（34）が受けた液体吸収剤（即ち、再生された液体吸収剤）は、接続配管（15c）を介して１つの液槽（24）に送られる。
【００３８】
即ち、本実施形態１に係る液槽（24）には、液式除湿モジュール（21）の除湿側気液接触部（23）にて被処理空気（外気（OA））の除湿に利用された液体吸収剤と、再生モジュール（31）の再生側気液接触部（33）にて再生された液体吸収剤とが、混合されて貯留される。除湿に利用された液体吸収剤の濃度は、再生された液体吸収剤の濃度よりも薄い。従って、除湿に利用された濃度の薄い液体吸収剤と、再生された濃度の薄い液体吸収剤とが、１つの液槽（24）を共通のタンクとして貯留される。
【００３９】
特に、接続配管（15c）は、再生側液受部（34）の底部を液入口とし、液槽（24）の側部を液出口として、再生側液受部（34）及び液槽（24）を繋いでいる。液出口は、液入口よりも下方にある。そのため、再生側液受部（34）から液槽（24）へは、重力（液体吸収剤の自重）を利用して流れ込むようになっている。従って、接続配管（15c）の間に、液体吸収剤を再生側液受部（34）から液槽（24）へと積極的に送るポンプ等の動力を設けずとも、再生された液体吸収剤と除湿に利用された液体吸収剤とを１つの液槽（24）に集めることができる。
【００４０】
なお、液槽（24）自体が再生側液受部（34）よりも低い位置に設置されていることがより好ましい。これにより、液体吸収剤は、再生側液受部（34）から液槽（24）へと、重力によってより移動し易くなるためである。
【００４１】
−ポンプ−
ポンプ（37）は、接続配管（15d）及び接続配管（15e）に接続されている。ポンプ（37）は、液槽（24）に貯留された液体吸収剤を、再び液式除湿モジュール（21）及び再生モジュール（31）それぞれに送る。即ち、ポンプ（37）は、液式除湿モジュール（21）及び再生モジュール（31）の間で液体吸収剤を循環させるためのものであると言える。
【００４２】
ここで、接続配管（15d）は、一端が液槽（24）に接続され、他端がポンプ（37）の入力側に接続されている。接続配管（15e）は、一端がポンプ（37）の出力側に接続されている。接続配管（15e）の他端は、２経路に分岐し、一方の経路は液冷却熱交換器（46）に接続され、他方の経路は流量調整弁（39）を介して液加熱熱交換器（44）に接続されている。
【００４３】
−流量調整弁−
流量調整弁（39）は、電磁比例弁で構成されており、開度を調節することで液体吸収剤の流量を調整する。液槽（24）に貯留された液体吸収剤は、ポンプ（37）から出た後、液冷却熱交換器（46）へのみならず、液加熱熱交換器（44）へと分岐して流れることができる。流量調整弁（39）の開度を調節することで、液冷却熱交換器（46）への液体吸収剤の供給量と液加熱熱交換器（44）への液体吸収剤の供給量とが所定の比率に調整される。
【００４４】
−液加熱熱交換器−
液加熱熱交換器（44）は、例えばプレート式であって、図示していないが、液体吸収剤が通過する吸収剤通路と、冷媒が通過する冷媒通路とを有する。吸収剤通路の入口側は接続配管（15e）に接続され、吸収剤通路の出口側は接続配管（15b）を介して再生モジュール（31）の再生側液体供給部（32）に接続される。冷媒通路の入口側は、接続配管（40c）を介して放熱用凝縮器（43）に接続され、冷媒通路の出口側は、接続配管（40d）を介して膨張弁（45）に接続される。液加熱熱交換器（44）は、冷媒の凝縮器として機能し、吸収剤通路を通過する液体吸収剤と冷媒通路を通過する冷媒とを熱交換することにより、再生モジュール（31）にて再生される前の液体吸収剤を冷媒によって加熱する。液加熱熱交換器（44）を通過した後の液体吸収剤は、再生モジュール（31）に送られ、再生される。
【００４５】
−液冷却熱交換器−
液冷却熱交換器（46）は、例えばプレート式であって、図示していないが、上記液加熱熱交換器（44）と同様、液体吸収剤が通過する吸収剤通路と、冷媒が通過する冷媒通路とを有する。吸収剤通路の入口側は接続配管（15e）に接続され、吸収剤通路の出口側は接続配管（15a）を介して液式除湿モジュール（21）の除湿側液体供給部（22）に接続される。冷媒通路の入口側は、接続配管（40e）を介して膨張弁（45）に接続され、冷媒通路の出口側は、接続配管（40f）を介して冷媒冷却式除湿モジュール（48）に接続される。液冷却熱交換器（46）は、冷媒の蒸発器として機能し、吸収剤通路を通過する液体吸収剤と冷媒通路を通過する冷媒とを熱交換する。具体的に、液冷却熱交換器（46）では、液式除湿モジュール（21）にて除湿に利用される前の液体吸収剤が、冷媒によって冷却される。液冷却熱交換器（46）を通過後の液体吸収剤は、液式除湿モジュール（21）に送られ、除湿に利用される。
【００４６】
−冷媒回路−
冷媒回路（40）は、圧縮機（42）、放熱用凝縮器（43）、液加熱熱交換器（44）、膨張弁（45）、液冷却熱交換器（46）及び冷媒冷却式除湿モジュール（48）が、接続配管（40a〜40f）によってこの順で直列に接続されることで構成されている。以下では、上述した液加熱熱交換器（44）及び液冷却熱交換器（46）以外の冷媒回路（40）の構成機器について説明する。
【００４７】
−圧縮機−
圧縮機（42）は、接続配管（40a）を介して冷媒冷却式除湿モジュール（48）の冷媒流れ方向下流側に位置し、冷媒を圧縮して吐出する。圧縮機（42）は、容量可変式であって、図示しないインバータ回路によって回転数（運転周波数）が変更される。
【００４８】
−放熱用凝縮器−
放熱用凝縮器（43）は、例えばフィンアンドチューブ式であって、冷媒の入口は接続配管（40b）を介して圧縮機（42）の吐出側に接続され、冷媒の出口は接続配管（40c）を介して液加熱熱交換器（44）における冷媒通路の入口と接続されている。即ち、放熱用凝縮器（43）は、冷媒冷却式除湿モジュール（48）の冷媒流れ方向下流側に位置する。放熱用凝縮器（43）は、冷媒冷却式除湿モジュール（48）を通過し圧縮機（42）から吐出された冷媒の熱を放熱流体に放出させて、該冷媒を凝縮する。放熱後の冷媒は、液加熱熱交換器（44）にて、更に液体吸収剤に放熱して凝縮する。
【００４９】
ここで、上記放熱流体とは、室内の空気（RA）以外であって、例えば外気（OA）、水などが挙げられる。本実施形態１では、放熱流体が外気（OA）であって、放熱用凝縮器（43）は、外気（OA）と冷媒とを熱交換する空気−冷媒熱交換器である場合を例に取る。
【００５０】
また、放熱用凝縮器（43）付近には、放熱用凝縮器（43）に放熱流体である外気（OA）を供給するためのファン（43a）が設置されている。ファン（43a）は、放熱用凝縮器（43）にて冷媒の放熱が必要な場合に運転するが、これについては、“−供給制御部−”にて説明する。
【００５１】
−膨張弁−
膨張弁（45）は、電子膨張弁で構成されている。膨張弁（45）は、接続配管（40d）を介して液加熱熱交換器（44）における冷媒通路の出口側と接続され、接続配管（40e）を介して液冷却熱交換器（46）における冷媒通路の入口側と接続されている。膨張弁（45）は、開度を変更することで、冷媒回路（40）内を循環する冷媒を減圧する。
【００５２】
−冷媒冷却式除湿モジュール−
冷媒冷却式除湿モジュール（48）は、例えばフィンアンドチューブ式であって、被処理空気（外気（OA））を冷媒により冷却して除湿する。特に、冷媒冷却式除湿モジュール（48）は、液式除湿モジュール（21）よりも外気（OA）の流れ方向上流側に位置する。冷媒冷却式除湿モジュール（48）は、液式除湿モジュール（21）にて除湿される前の被処理空気（外気（OA））を冷却除湿する。即ち、本実施形態１では、被処理空気（外気（OA））は、液式除湿モジュール（21）及び冷媒冷却式除湿モジュール（48）の双方にて除湿され、その後供給空気（SA）として室内に供給される。
【００５３】
冷媒冷却式除湿モジュール（48）の下方には、ドレンパン（48a）が設置されている。冷媒冷却式除湿モジュール（48）では、被処理空気（外気（OA））を冷却除湿した際に該空気から吸収した水分が冷媒冷却式除湿モジュール（48）の表面で結露して、下方に落下する。ドレンパン（48a）は、この結露水を回収するための受け皿である。ドレンパン（48a）は、ドレン排出配管（48b）と接続されており、当該ドレン排出配管（48b）を通じて結露水を調湿装置（10）の外部に排出する。
【００５４】
このように、ドレンパン（48a）は、液式除湿モジュール（21）における液槽（24）とは別途設けられている。仮に、液槽（24）に結露水が混入すると、液槽（24）における液体吸収剤の濃度が混入しない場合に比べて低下し、液体吸収剤を再生モジュール（31）にて再生するのに必要なエネルギーが増大してしまう。しかし、ここでは、ドレンパン（48a）と液槽（24）とが別途設けられているため、上述したような問題が発生する可能性は低くなる。
【００５５】
更に、冷媒冷却式除湿モジュール（48）及び液式除湿モジュール（21）の間には、フィルタ（49）が位置している。フィルタ（49）は、液体吸収剤が液式除湿モジュール（21）側から冷媒冷却式除湿モジュール（48）側に飛散することを防止するとともに、結露水が冷媒冷却式除湿モジュール（48）側から液式除湿モジュール（21）側に飛散することを防止する。このフィルタ（49）により、液体吸収剤と結露水とが混ざる可能性は、確実に低くなっている。
【００５６】
ところで、上記結露水は、ドレンパン（48a）及びドレン排出配管（48b）を介して屋外に排出される。そのため、冷媒冷却式除湿モジュール（48）が外気（OA）を冷却除湿した際の凝縮熱の放出手段が別途必要となる。本実施形態１では、当該凝縮熱の放出手段として、上述した放熱用凝縮器（43）が存在する。特に、放熱用凝縮器（43）は、屋外に排出された結露水に相当する気化熱分を回収するべく、上述のように、室内空気（RA）以外の放熱流体に放熱を行う。従って、冷媒の凝縮温度（凝縮圧力）の過度な上昇は抑えられ、凝縮温度（凝縮圧力）の過度な上昇を異常と判断して調湿装置（10）が運転を停止する事態を回避できる。
【００５７】
このように、液冷却熱交換器（46）及び冷媒冷却式除湿モジュール（48）は、液加熱熱交換器（44）と共に１の冷媒回路（40）に接続されている。本実施形態１では、ヒートポンプ熱源とも言える冷媒回路（40）を複数の回路の組合せで複雑に設けてはおらず、冷媒回路（40）の構成が簡略化されている。
【００５８】
そして、本実施形態１に係る調湿装置（10）の除湿モジュール（20）は、上述の通り、冷媒冷却式除湿モジュール（48）と液式除湿モジュール（21）とを有する。それ故、イオン液体のように吸湿性能が比較的低い液体を液体吸収剤として用いても、更に、空調負荷が比較的高いとしても、被処理空気は２つのモジュール（48,21）により十分に除湿された状態にて室内に供給される。また、被処理空気の除湿を行うモジュール（48,21）が２つあるため、冷媒冷却式除湿モジュール（48）における除湿量と液式除湿モジュール（21）における除湿量の比を、設計段階や制御段階にて調整することも可能であり、設計の自由度が大きいと言える。
【００５９】
一方で、調湿装置（10）の再生側は、液体吸収剤の再生モジュール（31）のみであり、冷媒冷却式除湿モジュールのような液体吸収剤以外を使用したモジュールは存在しない。つまり、再生側の構成は、除湿側に比べて簡略化されていると言える。
【００６０】
−液式除湿モジュール（21）での空気流れ方向と液流れ方向との関係―
上述のように、液式除湿モジュール（21）の除湿側気液接触部（23）では、液体吸収剤と冷媒冷却式除湿モジュール（48）を通過後の被処理空気（外気（OA））とが接触して、外気（OA）は更に除湿される。図２に示すように、除湿側気液接触部（23）において液体吸収剤の流れ方向は上方から下方（即ち滴下方向）であるのに対し、この液体吸収剤に接触する外気（OA）の流れ方向は、冷媒冷却式除湿モジュール（48）側から液式除湿モジュール（21）側（図１の右側から左側）である。つまり、除湿側気液接触部（23）では、液体吸収剤の流れ方向と外気（OA）の流れ方向とが交差（具体的には直交）している。
【００６１】
図３は、従来例における液体吸収剤の流れ方向と外気（OA）の流れ方向とを表す。図３に示すように、従来例では、除湿側気液接触部（23）における液体吸収剤の流れ方向は、上方から下方（滴下方向）であって、本実施形態１の図２と同様である。しかしながら、この液体吸収剤に接触する外気（OA）の流れ方向は、液体吸収剤の流れ方向とは真逆であり、下方から上方である。つまり、図３では、液体吸収剤の流れ方向と外気（OA）の流れ方向とが対向流の関係にある。
【００６２】
図２及び図３において、冷媒冷却式除湿モジュール（48）を通過する外気（OA）の風量が同量であると仮定する。除湿側気液接触部（23）における外気（OA）の圧力損失を抑えるためには、除湿側気液接触部（23）が受ける外気（OA）の風速を抑えることが考えられる。その一手法として、外気（OA）を受ける除湿側気液接触部（23）の面の面積を大きくすることが考えられる。
【００６３】
対向流である図３（従来例）では、除湿側気液接触部（23）の外気（OA）を受ける面の面積を確保するために、液式除湿式モジュール（21）の設置面積を狭めることは困難である。従って、図３の従来例では、除湿モジュール（20）の小型化は望めない。
【００６４】
しかし、直交流である図２（本実施形態）では、除湿側気液接触部（23）における外気（OA）の通過方向（上下方向）の幅を短くすれば、液式除湿式モジュール（21）の設置面積を狭めることができ、除湿モジュール（20）の小型化が可能となる。
【００６５】
また、対向流（従来例）において、図３に示すように、除湿側気液接触部（23）における外気（OA）の通過方向（上下方向）の幅のみを狭めて除湿側気液接触部（23）の小型化を試みたとしても、液体吸収剤の拡散に必要な液流速を確保するために、液体吸収剤の流量はさほど変わらない。
【００６６】
これに対し、直交流（本実施形態）では、図２に示すように、除湿側気液接触部（23）における外気（OA）の通過方向（左右方向）の幅を狭めることで、液体吸収剤の流路幅が狭くなり、液流速は増加する。従って、液体吸収剤の必要流量を少なくしつつ、除湿側気液接触部（23）の小型化も図ることができる。
【００６７】
以上より、本実施形態では、除湿モジュール（20）のサイズを従来例に比して小型にすることができる。更に、液体吸収剤の流量を減少させることも可能であるため、図１のポンプ（37）の動力を図３に比して小さくすることもできる。
【００６８】
−コントローラ−
コントローラ（50）は、メモリ及びＣＰＵ等で構成されるマイクロコンピュータであって、調湿装置（10）を構成する各種機器（圧縮機（42）、ポンプ（37）、流量調整弁（39）、ファン（43a）、膨張弁（45））と電気的に接続されている。メモリ内に格納されているプログラムをＣＰＵが読み出して実行することで、コントローラ（50）は、接続された各種機器の動作を制御する。
【００６９】
具体的に、本実施形態１に係るコントローラ（50）は、冷媒の凝縮温度に基づくファン（43a）の運転制御、空調負荷に基づく各弁（39,45）の開度制御及びポンプ（37）の運転制御等を行う。以下では、コントローラ（50）が有する機能部のうち、ファン（43a）の運転制御を行う機能部である供給制御部（51）について説明する。
【００７０】
−供給制御部−
供給制御部（51）は、冷媒回路（40）における冷媒の凝縮温度が所定値を超える場合、ファン（43a）を運転させて放熱流体である外気（OA）を放熱用凝縮器（43）に供給させる。この場合、放熱用凝縮器（43）は、供給された外気（OA）に冷媒の熱を放出する。
【００７１】
一方、供給制御部（51）は、冷媒回路（40）における冷媒の凝縮温度が所定値以下の場合、ファン（43a）の運転を停止させて放熱用凝縮器（43）への外気（OA）の供給を停止させる。この場合、放熱用凝縮器（43）において、冷媒の熱は外気（OA）には放出されない。
【００７２】
冷媒の凝縮温度が所定値以下である場合にファン（43a）を運転させると、放熱用凝縮器（43）では、冷媒の凝縮温度が比較的低い状態であるにも拘わらず、冷媒は外気（OA）に放熱することとなる。すると、液加熱熱交換器（44）での液体吸収剤の加熱度合いは小さくなり、液体吸収剤は十分に再生できなくなってしまう。それ故、供給制御部（51）は、冷媒の凝縮温度が所定値以下の場合、放熱用凝縮器（43）に外気（OA）を供給させないように制御する。この制御により、液体吸収剤の再生不足を回避できるため、調湿装置（10）の除湿能力の低下を抑制することができる。
【００７３】
また、空調負荷が比較的小さく冷媒冷却式除湿モジュール（48）での発熱（凝縮熱）量がさほどない場合、除湿モジュール（20）側の発熱分を再生モジュール（31）での再生用空気への放熱分で十分に処理でき、冷媒の凝縮温度は比較的低くなる。そこで冷媒の凝縮温度が所定値以下である場合、調湿装置（10）では、ファン（43a）を停止し、ファン（43a）での消費電力分を削減する。
【００７４】
＜調湿装置の動作＞
ここでは、本実施形態１に係る調湿装置（10）の除湿動作について説明する。
【００７５】
冷媒回路（40）では、圧縮機（42）は運転し、放熱用凝縮器（43）及び液加熱熱交換器（44）は冷媒の凝縮器として機能し、液冷却熱交換器（46）及び冷媒冷却式除湿モジュール（48）は冷媒の蒸発器として機能する。
【００７６】
圧縮機（42）で圧縮された冷媒は、放熱用凝縮器（43）にて放熱流体（外気（OA））に放熱して凝縮された後、液加熱熱交換器（44）にて液体吸収剤に放熱して更に凝縮する。液加熱熱交換器（44）を流出した冷媒は、膨張弁（45）で減圧され、液冷却熱交換器（46）に流入する。
【００７７】
液冷却熱交換器（46）において、冷媒は、液体吸収剤から吸熱し、液体吸収剤を冷却する。その後、冷媒は、冷媒冷却式除湿モジュール（48）に流入し、該モジュール（48）を通過する被処理空気（外気（OA））から水分を吸収して蒸発し、当該空気を冷却除湿する。冷媒冷却式除湿モジュール（48）を通過後の冷媒は、圧縮機（42）に吸入される。
【００７８】
吸収剤回路（15）では、ポンプ（37）は作動し、流量調整弁（39）は所定の開度に調節される。液式除湿モジュール（21）では、液体吸収剤は、除湿側液体供給部（22）から除湿側気液接触部（23）へと滴下される。除湿側気液接触部（23）には、冷媒冷却式除湿モジュール（48）にて冷房除湿された被処理空気（外気（OA））が供給され、滴下された液体吸収剤は、当該空気から水分を吸収して当該空気を除湿する。冷媒冷却式除湿モジュール（48）及び液式除湿モジュール（21）の両方にて除湿された後の空気は、供給空気（SA）として室内に供給される。
【００７９】
被処理空気（外気（OA））から水分を吸収した液体吸収剤は、濃度が薄まったものとなっており、除湿側気液接触部（23）の下部にある液槽（24）に貯留される。液槽（24）内の液体吸収剤は、接続配管（15d）を通過後、接続配管（15e）において液加熱熱交換器（44）側及び液冷却熱交換器（46）側それぞれに分岐して流れる。
【００８０】
液加熱熱交換器（44）側に流れた液体吸収剤は、当該熱交換器（44）にて冷媒によって加熱され、その後再生モジュール（31）に流入する。再生モジュール（31）に流入した液体吸収剤は、再生側液体供給部（32）から再生側気液接触部（33）へと滴下される。再生側気液接触部（33）には、再生用空気（室内空気（RA））が供給され、滴下された液体吸収剤は、当該空気に水分を放出する。これにより、液体吸収剤は、濃度が高い状態となり、再生される。再生された液体吸収剤は、再生側気液接触部（33）の下部にある再生側液受部（34）にて一旦受け止められた後、接続配管（15c）を介して液槽（24）に貯留される。即ち、液槽（24）には、再生モジュール（31）で濃度が濃くなった液体吸収剤と、液式除湿モジュール（21）で濃度が薄くなった液体吸収剤とが入れられて混合される。
【００８１】
なお、液体吸収剤の再生に利用された空気は、排気空気（EA）として屋外に排出される。
【００８２】
液冷却熱交換器（46）側に流れた液体吸収剤は、当該熱交換器（46）にて冷媒によって冷却され、その後液式除湿モジュール（21）に流入する。液式除湿モジュール（21）に流入した液体吸収剤は、再び除湿側液体供給部（22）から除湿側気液接触部（23）へと滴下される。
【００８３】
＜液槽における液体吸収剤について＞
上述の通り、液槽（24）には、再生されて濃度が濃くなった液体吸収剤と、除湿に利用されて濃度が薄まった液体吸収剤とが入れられて、混合される。混合された液体吸収剤は上述の通り吸収剤回路（15）内を循環するが、本実施形態１では、この混合に伴って除湿能力の低下等が引き起こされるおそれは低い。これは、以下の理由による。
【００８４】
除湿モジュール（20）では、上述したように、液式除湿モジュール（21）及び冷媒冷却式除湿モジュール（48）の２つのモジュールにて２段階に亘って被処理空気（外気（OA））を除湿する構成となっている。特に、液式除湿モジュール（21）は、被処理空気の流れ方向下流側に位置するため、先に冷媒冷却式除湿モジュール（48）で冷却除湿された後の外気（OA）を、更に除湿する。それ故、液式除湿モジュール（21）の除湿量は、冷媒冷却式除湿モジュール（48）が設けられていない場合に比して低く、液式除湿モジュール（21）における液体吸収剤の濃度は、滴下前と滴下後とで約１％以下の程度しか変わらない。
【００８５】
また、２段階に亘って被処理空気（外気（OA））を除湿する構成であるため、液式除湿モジュール（21）が除湿動作で使用する液体吸収剤の量は、冷媒冷却式除湿モジュール（48）が設けられておらず液式除湿モジュールのみで除湿を行う場合に比して少ない。それ故、液式除湿モジュール（21）において上記の程度濃度が変化した液体吸収剤が液槽（24）に入る量も、当然少なくなる。
【００８６】
以上に鑑みると、液槽（24）において、再生されて濃度が濃くなった液体吸収剤と、除湿に利用されて濃度が薄まった液体吸収剤とが混合されても、当該混合による濃度変化の度合いは非常に小さいと言える。混合された液体吸収剤を液式除湿モジュール（21）の除湿に利用する本実施形態１での除湿能力は、仮に再生モジュール（31）で再生された直後の液体吸収剤を液式除湿モジュール（21）の除湿に直接使用したとした場合の除湿能力と比較しても、同程度である。
【００８７】
従って、液式除湿モジュール（21）側及び再生モジュール（31）側それぞれに専用の液槽を設けるのではなく、本実施形態１のように、液式除湿モジュール（21）及び再生モジュール（31）の共通となる液槽（24）を、サイズを大型化させることなく設けることができる。サイズが大型化していない液槽（24）を１つ設けることから、調湿装置（10）のサイズを小さくすることができ、調湿装置（10）の製造コストも液槽（24）が１つで済むため削減することができる。
【００８８】
＜効果＞
本実施形態１では、液体吸収剤は、液冷却熱交換器（46）にて冷媒により冷却され、その後、液式除湿モジュール（21）に供給される。液式除湿モジュール（21）では、液体吸収剤を用いて被処理空気（外気（OA））から水分を吸収して、該空気を除湿する。一方で、液体吸収剤は、液加熱熱交換器（44）にて冷媒により加熱され、その後、再生モジュール（31）に供給される。再生モジュール（31）では、液式除湿モジュール（21）にて被処理空気から水分を吸収することにより濃度が薄められた液体吸収剤が、逆に水分を再生用空気に放出することによって再生される。
【００８９】
特に、本実施形態１に係る上記被処理空気（外気（OA））は、先ずは冷媒冷却式除湿モジュール（48）にて冷媒により冷却除湿され、その後に液式除湿モジュール（21）にて除湿され、室内に供給される。これにより、液体吸収剤の吸湿性能の高低に拘わらず、且つ、液式除湿モジュール（21）において液体吸収剤と空気との接触面積をあえて大きくせずとも、被処理空気を十分に除湿することができる。即ち、本実施形態１によれば、利用できる液体吸収剤の種類が増加する。
【００９０】
また、除湿を、前段の冷媒冷却式除湿モジュール（48）と後段の液式除湿モジュール（21）とを用いて行うため、液体吸収剤の量は、液体吸収剤のみを用いて除湿を行う場合よりも少なくて済み、更にはその分液槽（24）の大きさを大きくする必要がないため、調湿装置（10）の小型化及びコストダウンを図ることができる。また、前段の冷媒冷却式除湿モジュール（48）の蒸発温度を、冷媒冷却式除湿モジュールのみで除湿する場合よりも高くすることができるため、除湿効率は良好となる。２段階で除湿を行うため、液式除湿モジュール（21）での除湿量が液式除湿モジュールのみで除湿を行う場合よりも抑えられ、再生のためのエネルギーを削減することもできる。
【００９１】
更に、冷媒冷却式除湿モジュール（48）、液冷却熱交換器（46）及び液加熱熱交換器（44）は、１の冷媒回路（40）に接続されている。従って、例えば冷媒の循環量を変化させる等により除湿の程度を制御することができる。
【００９２】
また、本実施形態１では、放熱用凝縮器（43）が備えられている。放熱用凝縮器（43）は、冷媒冷却式除湿モジュール（48）通過後の冷媒を室内の空気以外に放熱させるものである。これにより、冷媒冷却式除湿モジュール（48）における発熱分を放熱することができ、冷媒の凝縮温度の上昇が抑えられる。従って、冷媒の凝縮温度の上昇に伴う調湿装置（10）全体の除湿効率の悪化及び異常による除湿動作停止が生じることを回避できる。
【００９３】
また、本実施形態１では、空調負荷が比較的小さく冷媒冷却式除湿モジュール（48）での発熱（凝縮熱）量がさほどない場合、冷媒冷却式除湿モジュール（48）の発熱（吸着熱）分を再生モジュール（31）での再生用空気への放熱分で十分にまかなえ、冷媒の凝縮温度は比較的低くなる。そこで本実施形態１では、冷媒の凝縮温度が所定値以下の場合、ファン（43a）を停止して、放熱用凝縮器（43）への外気（OA）の供給を停止する。従って、冷媒の凝縮温度が所定値以下の場合に放熱用凝縮器（43）にて熱交換動作が行われる場合よりも、液体吸収剤の再生温度は上昇し、液体吸収剤は十分に再生される。また、放熱用熱交換器（43）への放熱流体の供給を停止する分、ファン（43a）での消費電力分が削減される。
【００９４】
≪実施形態２≫
＜構成＞
本実施形態２の調湿装置（10）の構成を図４に示す。図４では、吸収剤回路（15）の構成は図１と同様であるが、冷媒回路（40）の構成が図１とは若干異なる。なお、図４では、図１と対応する構成に、図１と同様の符合を付している。以下では、構成の異なる部分についてのみ説明する。
【００９５】
液体吸収剤は、上記実施形態１と同様である。
【００９６】
−冷媒回路−
冷媒回路（40）は、圧縮機（42）、放熱用凝縮器（43）、液加熱熱交換器（44）、第１膨張弁（45a）、第２膨張弁（45b）、液冷却熱交換器（46）及び冷媒冷却式除湿モジュール（48）が、接続配線（40a〜40h）を介して接続されることで構成されている。放熱用凝縮器（43）付近には、ファン（43a）が配置されている。
【００９７】
本実施形態２では、冷却熱交換器（46）及び冷媒冷却式除湿モジュール（48）の接続構成が図１とは異なるが、それ以外の構成は図１で示した上記実施形態１と同様である。
【００９８】
−第１膨張弁及び第２膨張弁−
液加熱熱交換器（44）の冷媒出口には、接続配管（40d）の一端が接続されている。接続配管（40d）の他端は、接続配管（40e）及び接続配管（40g）の一端それぞれと接続されている。つまり、冷媒の流れる経路は、接続配管（40d）の他端から２つに分岐されている。うち１経路である接続配管（40e）上には、第１膨張弁（45a）が接続され、他経路である接続配管（40g）上には、第２膨張弁（45b）が接続されている。
【００９９】
第１膨張弁（45a）及び第２膨張弁（45b）は、電子膨張弁で構成されている。第１膨張弁（45a）及び第２膨張弁（45b）は、開度を変更することで、冷媒回路（40）を循環する冷媒を減圧し、また、接続配管（40e,40f）及び接続配管（40g,40h）それぞれを流れる冷媒の流量を調整する。
【０１００】
接続配管（40e）の他端は、冷媒冷却式除湿モジュール（48）の冷媒の入口と接続され、接続配管（40g）の他端は、液冷却熱交換器（46）の冷媒通路の入口と接続されている。第１膨張弁（45a）及び冷媒冷却式除湿モジュール（48）は、第２膨張弁（45b）及び液冷却熱交換器（46）と並列に接続されている。従って、冷媒冷却式除湿モジュール（48）には、第１膨張弁（45a）にて減圧され流入量が調節された冷媒が流入し、液冷却熱交換器（46）には、第２膨張弁（45b）にて減圧され流入量が調節された冷媒が流入する。
【０１０１】
−コントローラ−
本実施形態２に係る調湿装置（10）は、コントローラ（50）を備える。コントローラ（50）は、ファン（43a）の運転を制御する供給制御部（51）としての機能の他、以下に述べるモード運転制御部（52）としての機能も有する。
【０１０２】
−モード運転制御部−
空調負荷の程度によっては、冷媒冷却式除湿モジュール（48）は必要とせず、液式除湿モジュール（21）のみによって被処理空気の除湿を行えばよい場合や、その逆の場合もあり得る。例えば、顕熱負荷の処理のみを必要とする場合であっても、上記実施形態１に示すように、液式除湿モジュール（21）及び冷媒冷却式除湿モジュール（48）の双方を用いて除湿を行うとなれば、顕熱負荷の処理のみならず潜熱負荷の処理にもエネルギーが費やされることになる。上記実施形態１の構成では、潜熱負荷の処理に費やされるエネルギーと顕熱負荷の処理に費やされるエネルギーとの比率を調整することは困難である。
【０１０３】
そこで、図５に示すように、モード運転制御部（52）は、主に空調負荷の状態に応じて、調湿装置（10）の運転モードを以下の５つのいずれかに切り換えるように、吸収剤回路（15）及び冷媒回路（40）を制御する。これにより、ポンプ（37）や圧縮機（42）を不要な場合は停止させることができ、これらの機器（37,42）の消費電力量を削減することができる。
（運転モード１）液式除湿モジュール（21）及び冷媒冷却式除湿モジュール（48）の両方によって被処理空気が除湿され、且つ、冷媒が冷媒回路（40）内を循環するモード
（運転モード２）被処理空気は液式除湿モジュール（21）のみで除湿され、且つ、冷媒が冷媒回路（40）内を循環するモード
（運転モード３）被処理空気は液式除湿モジュール（21）のみで除湿され、且つ、冷媒は循環せずに液体吸収剤が吸収剤回路（15）内を循環するモード
（運転モード４）被処理空気は冷媒冷却式除湿モジュール（48）のみで除湿され、液体吸収剤は吸収剤回路（15）内を循環しないモード
（運転モード５）被処理空気は冷媒冷却式除湿モジュール（48）及び液式除湿モジュール（21）で除湿されるが、液体吸収剤の加熱及び冷却は行われず、液体吸収剤は吸収剤回路（15）内を循環するモード
上記運転モード１及び上記運転モード５は、第１除湿運転モードに相当する。上記運転モード２及び上記運転モード３は、第２除湿運転モードに相当する。上記運転モード４は、第３除湿運転モードに相当する。
【０１０４】
図５に示すように、上記運転モード１は、空調負荷が第１所定負荷以上である高負荷時に選択される。運転モード１では、外気（OA）は双方の除湿モジュール（21,48）で除湿されるため、潜熱負荷及び顕熱負荷が共に高い場合に好適である。
【０１０５】
上記運転モード２は、空調負荷が、第１所定負荷を下回っており、且つ、第１所定負荷よりも低い第２所定負荷以上である中負荷時に選択される。また、運転モード２では、外気（OA）は、冷媒冷却式除湿モジュール（48）では冷却除湿されずに液式除湿モジュール（21）にて除湿されるため、空調負荷が、顕熱負荷はさほど高くはないが潜熱負荷が高いような場合にも好適である。
【０１０６】
上記運転モード３は、空調負荷が第２所定負荷を下回る時に低負荷時に選択される。
【０１０７】
上記運転モード４では、被処理空気（外気（OA））は、液式除湿モジュール（21）では除湿されず冷媒冷却式除湿モジュール（48）でのみ冷却除湿される。そのため、上記運転モード４は、空調負荷が、顕熱負荷は高いものの潜熱負荷はさほど高くないような場合、即ち、積極的に顕熱負荷を処理するべき時に選択される。また、運転モード４は、例えば調湿装置（10）の立ち上げ時にも好適である。
【０１０８】
上記運転モード５は、除湿モジュール（20）で除湿に利用される直前の液体吸収剤の濃度が既に比較的高く、除湿直前にあえて液冷却熱交換器（46）で冷却せずとも良い場合に選択される。
【０１０９】
なお、空調負荷は、被処理空気（外気（OA））の除湿モジュール（20）への流入口における温度及び湿度、室内の目標温度及び目標湿度に基づいて算出することができる。一例としては、目標温度と流入口における外気（OA）の温度との差から顕熱負荷が算出され、目標湿度と流入口における外気（OA）の湿度との差から潜熱負荷が算出されてもよい。
【０１１０】
このように、主に空調負荷に応じて運転モードを切り換えることにより、潜熱処理及び顕熱処理の優先度合いを適宜変化させることができる。
【０１１１】
＜調湿装置の動作＞
各運転モード１〜５での調湿装置（10）の動作について、図６〜図１０を用いて説明する。
【０１１２】
−運転モード１−
冷媒回路（40）では、冷媒が液冷却熱交換器（46）及び冷媒冷却式除湿モジュール（48）に分岐されて流れる。
【０１１３】
具体的には、図６に示すように、冷媒回路（40）では、圧縮機（42）は運転し、放熱用凝縮器（43）及び液加熱熱交換器（44）は冷媒の凝縮器として機能し、液冷却熱交換器（46）及び冷媒冷却式除湿モジュール（48）は冷媒の蒸発器として機能する。第１膨張弁（45a）及び第２膨張弁（45b）は共に所定の開度を有する。
【０１１４】
圧縮機（42）で圧縮された冷媒は、放熱用凝縮器（43）にて放熱用流体（外気（OA））に放熱して凝縮された後、液加熱熱交換器（44）にて液体吸収剤に放熱して更に凝縮する。液加熱熱交換器（44）を流出した冷媒は、接続配管（40d）から接続配管（40e）及び接続配管（40g）に分岐して流れる。各接続配管（40e,40g）に流れる冷媒は、第１膨張弁（45a）及び第２膨張弁（45b）それぞれにて減圧される。
【０１１５】
第１膨張弁（45a）にて減圧された冷媒は、冷媒冷却式除湿モジュール（48）において、該モジュール（48）を通過する被処理空気（外気（OA））から水分を吸収して蒸発し、外当該空気を冷却除湿する。第２膨張弁（45b）にて減圧された冷媒は、液冷却熱交換器（46）において液体吸収剤から吸熱して蒸発する。冷媒冷却式除湿モジュール（48）から流出した冷媒と、液冷却熱交換器（46）から流出した冷媒は、接続配管（40h,40f,,40a）の合流点にて合流し、圧縮機（42）に吸入される。
【０１１６】
吸収剤回路（15）では、液加熱熱交換器（44）及び液冷却熱交換器（46）において液体吸収剤の加熱及び冷却が行われる。具体的な吸収剤回路（15）の動作は、上記実施形態１に係る吸収剤回路（15）の動作と同様であるため、説明は省略する。
【０１１７】
これにより、除湿モジュール（20）では、被処理空気（外気（OA））は、冷媒冷却式除湿モジュール（48）と液式除湿モジュール（21）とで順に除湿され、供給空気（SA）として室内に供給される。液槽（24）には、再生モジュール（31）で濃度が濃くなった液体吸収剤と、液式除湿モジュール（21）で濃度が薄くなった液体吸収剤とが混合される。
【０１１８】
なお、液体吸収剤の再生に利用された空気は、排気空気（EA）として屋外に排出される。
【０１１９】
−運転モード２−
冷媒回路（40）においては、図７に示すように、接続配管（40e,40f）を冷媒が流れないため、冷媒冷却式除湿モジュール（48）では被処理空気（外気（OA））の冷却除湿が行われず、ドレンパン（48a）に結露水は貯留されないが、それ以外は図６と同様である。
【０１２０】
具体的に、冷媒回路（40）では、圧縮機（42）は運転し、放熱用凝縮器（43）及び液加熱熱交換器（44）は冷媒の凝縮器として機能し、液冷却熱交換器（46）は冷媒の蒸発器として機能する。第１膨張弁（45a）は全閉の状態であって、第２膨張弁（45b）は所定の開度を有する。
【０１２１】
圧縮機（42）で圧縮された冷媒は、放熱用凝縮器（43）にて放熱用流体（外気（OA））に放熱して凝縮された後、液加熱熱交換器（44）にて液体吸収剤に放熱して更に凝縮する。液加熱熱交換器（44）を流出した冷媒は、接続配管（40e）へは流れず、全て接続配管（40g）に流れ、第２膨張弁（45b）にて減圧される。減圧された冷媒は、液冷却熱交換器（46）において液体吸収剤から吸熱して蒸発し、その後圧縮機（42）に吸入される。
【０１２２】
吸収剤回路（15）では、液加熱熱交換器（44）及び液冷却熱交換器（46）において液体吸収剤の加熱及び冷却が行われる。具体的な吸収剤回路（15）の動作は、上記実施形態１に係る吸収剤回路（15）の動作と同様であるため、説明は省略する。
【０１２３】
これにより、除湿モジュール（20）では、被処理空気（外気（OA））は、液式除湿モジュール（21）のみにて除湿され、供給空気（SA）として室内に供給される。液槽（24）には、再生モジュール（31）で濃度が濃くなった液体吸収剤と、液式除湿モジュール（21）で濃度が薄くなった液体吸収剤とが混合される。
【０１２４】
なお、液体吸収剤の再生に利用された空気は、排気空気（EA）として屋外に排出される。
【０１２５】
−運転モード３−
図８に示すように、冷媒回路（40）では、圧縮機（42）は運転を停止し、第１膨張弁（45a）及び第２膨張弁（45b）は共に全閉の状態である。従って、運転モード３では、冷媒は、冷媒回路（40）内を循環せず、冷媒回路（40）は、吸収剤回路（15）のヒートポンプ熱源としては機能しない。冷媒冷却式除湿モジュール（48）では、被処理空気（外気（OA））の冷却除湿は行われず、ドレンパン（48a）に結露水は貯留されない。
【０１２６】
吸収剤回路（15）では、液体吸収剤は循環するが、液体吸収剤は冷媒との間での熱交換を行わない。即ち、液体吸収剤の加熱及び冷却は行われない。液式除湿モジュール（21）には、冷媒冷却式除湿モジュール（48）で冷房除湿されていない被処理空気（外気（OA））が通過する。
【０１２７】
具体的に、吸収剤回路（15）では、ポンプ（37）は作動し、流量調整弁（39）は所定の開度に調節される。液式除湿モジュール（21）では、液体吸収剤は、除湿側液体供給部（22）から除湿側気液接触部（23）へと滴下される。除湿側気液接触部（23）には、冷媒冷却式除湿モジュール（48）で調湿されてない被処理空気（外気（OA））が通過し、滴下された液体吸収剤は、当該空気から水分を吸収して該空気を除湿する。液式除湿モジュール（21）にて除湿された後の空気は、供給空気（SA）として室内に供給される。
【０１２８】
被処理空気（外気（OA））から水分を吸収し濃度が薄まった液体吸収剤は、液槽（24）に一旦貯留され、その後液加熱熱交換器（44）側及び液冷却熱交換器（46）側それぞれに流れる。
【０１２９】
液加熱熱交換器（44）側に流れた液体吸収剤は、冷媒と熱交換することなく当該熱交換器（44）を通過して再生モジュール（31）に流入する。再生モジュール（31）に流入した液体吸収剤は、再生側液体供給部（32）から再生側気液接触部（33）へと滴下される。再生側気液接触部（33）に滴下された液体吸収剤は、供給された再生用空気（室内空気（RA））に水分を放出して濃度が高い状態となり、再生される。当該液体吸収剤は、その後再生側液受部（34）にて一旦受け止められ、接続配管（15c）を介して液槽（24）に貯留される。
【０１３０】
なお、液体吸収剤の再生に利用された空気は、排気空気（EA）として屋外に排出される。
【０１３１】
液冷却熱交換器（46）側に流れた液体吸収剤は、冷媒と熱交換することなく当該熱交換器（46）を通過して液式除湿モジュール（21）に流入する。液式除湿モジュール（21）に流入した液体吸収剤は、再び除湿側液体供給部（22）から除湿側気液接触部（23）へと滴下される。
【０１３２】
これにより、除湿モジュール（20）では、被処理空気（外気（OA））は、液式除湿モジュール（21）のみにて除湿され、供給空気（SA）として室内に供給される。液槽（24）には、再生モジュール（31）で濃度が濃くなった液体吸収剤と、液式除湿モジュール（21）で濃度が薄くなった液体吸収剤とが混合される。
【０１３３】
特に、運転モード３では、液加熱熱交換器（44）及び液冷却熱交換器（46）にて液体吸収剤が冷媒によって加熱及び冷却がなされない。従って、運転モード３における被処理空気（外気（OA））の除湿の程度は、上記運転モード２よりも低くなる。
【０１３４】
−運転モード４−
図９に示すように、吸収剤回路（15）では、ポンプ（37）は作動せず、吸収剤回路（15）内を液体吸収剤は循環しない。従って、吸収剤回路（15）では、液式除湿モジュール（21）での除湿動作、再生モジュール（31）の再生動作、各熱交換器（44,46）での液体吸収剤と冷媒との熱交換動作（即ち、液体吸収剤の加熱及び冷却）は行われない。
【０１３５】
冷媒回路（40）では、圧縮機（42）は運転し、第１膨張弁（45a）は所定の開度を有し、第２膨張弁（45b）は全閉の状態である。冷媒は、放熱用凝縮器（43）、液加熱熱交換器（44）及び冷媒冷却式除湿モジュール（48）の間を循環するが、液冷却熱交換器（46）には流れない。
【０１３６】
具体的に、圧縮機（42）で圧縮された冷媒は、放熱用凝縮器（43）にて被処理空気（外気（OA））に放熱して凝縮された後、液加熱熱交換器（44）に流入する。当該冷媒は、液体吸収剤と熱交換することなく液加熱熱交換器（44）を通過すると、接続配管（40d）から接続配管（40g）へは流れずに、接続配管（40d）から接続配管（40e）に全て流れ、第１膨張弁（45a）にて減圧される。減圧された冷媒は、冷媒冷却式除湿モジュール（48）において被処理空気（外気（OA））を冷却除湿して蒸発し、その後圧縮機（42）に吸入される。
【０１３７】
これにより、冷媒冷却式除湿モジュール（48）において冷却除湿された被処理空気（外気（OA））は、液式除湿モジュール（21）で更に除湿されることなく、供給空気（SA）として室内に供給される。冷媒冷却式除湿モジュール（48）では、ドレンパン（48a）に結露水が貯留され、当該結露水は、ドレン排出配管（48b）を介して排出される。
【０１３８】
また、吸収剤回路（15）内を液体吸収剤は循環しないため、各モジュール（21,31）からの液体吸収剤が液槽（24）に流入することはない。
【０１３９】
−運転モード５−
図１０に示すように、冷媒回路（40）では、図９に係る上記運転モード４と同様の動作が行われる。吸収剤回路（15）では、上記運転モード４とは異なり、比較的濃い濃度の液体吸収剤が循環する。この運転モード５では、液加熱熱交換器（44）及び液冷却熱交換器（46）において、液体吸収剤が冷媒によって加熱及び冷却がなされない。しかしながら、液体吸収剤の濃度が比較的濃いため、液式除湿モジュール（21）において除湿動作が行われる。
【０１４０】
これにより、除湿モジュール（20）では、外気（OA）は、冷媒冷却式除湿モジュール（48）と液式除湿モジュール（21）とにおいて順に除湿され、供給空気（SA）として室内に供給される。液槽（24）には、循環し続ける比較的濃い液体吸収剤が貯留される。
【０１４１】
−運転モードの選択について−
上記動作をまとめると、上記運転モード２，３は、冷媒冷却式除湿モジュール（48）を使用しないモードと言うことができる。上記運転モード３，４，５は、液冷却熱交換器（46）において液体吸収剤の冷却がなされないモードと言うことができる。
【０１４２】
冷媒冷却式除湿モジュール（48）は、被処理空気（外気（OA））の除湿モジュール（20）への流入口における温度が比較的高い場合に用いられると良い。液冷却熱交換器（46）は、被処理空気（外気（OA））の除湿モジュール（20）への流入口における湿度が比較的高く、液体吸収剤を用いた除湿動作が必要な場合に用いられると良い。
【０１４３】
従って、室内の温度及び湿度の双方が高い場合は、冷媒冷却式除湿モジュール（48）での被処理空気（外気（OA））の冷却除湿のみならず、液式除湿モジュール（21）で除湿に利用される前の液体吸収剤を液冷却熱交換器（46）にて除湿する動作も行われる、上記運転モード１が望ましいと言える。
【０１４４】
＜効果＞
本実施形態２に係る調湿装置（10）は、上記実施形態１に係る効果に加え、以下の効果を奏する。
【０１４５】
本実施形態２では、上述した運転モード１〜５いずれかで動作されるように、モード運転制御部（52）は、吸収剤回路（15）及び冷媒回路（40）を制御する。これにより、例えば空調負荷に応じた適切な除湿運転がなされる。
【０１４６】
≪実施形態３≫
上記実施形態１，２それぞれにおいて、更に、液体吸収剤の温度及び被処理空気（外気（OA））の温度が“液式除湿モジュール（21）の液体吸収剤の入口温度≦冷媒冷却式除湿モジュール（48）の空気の出口温度”の条件を満たすように、コントローラ（50）（冷媒回路制御部に相当）が冷媒回路（40）を制御してもよい。即ち、本実施形態に係るコントローラ（50）は、液式除湿モジュール（21）にて除湿される前であって且つ冷媒冷却式除湿モジュール（48）から流出した後の被処理空気（外気（OA））の温度が、液式除湿モジュール（21）に流入する液体吸収剤の温度以上となるように、冷媒回路（40）を制御する。
【０１４７】
図１１を用いて、液体吸収剤の温度及び外気（OA）の温度それぞれの測定手法と、冷媒回路（40）の制御手法とについて、一例を説明する。図１１は、上記実施形態２において、本実施形態の上記制御が行われる場合の調湿装置（10）の構成を図示している。
【０１４８】
図１１に示すように、調湿装置（10）には、外気（OA）の温度を測定する空気温度センサ（T1）、液体吸収剤の温度を測定する液温度センサ（T2）が設けられている。空気温度センサ（T1）は、冷媒冷却式除湿モジュール（48）の外気（OA）の出口付近に設けられ、液式除湿モジュール（21）にて除湿される前であって且つ冷媒冷却式除湿モジュール（48）から流出した後の外気（OA）の温度を検知する。液温度センサ（T2）は、除湿側液体供給部（22）における液体吸収剤の滴下口付近に設けられ、除湿側液体供給部（22）から除湿側気液接触部（23）へと滴下される液体吸収剤の温度を検知する。
【０１４９】
また、調湿装置（10）には、２つの温湿度センサ（T3,T4）が更に設けられている。温湿度センサ（T3）は、冷媒冷却式除湿モジュール（48）の外気（OA）の入口付近に設けられ、冷媒冷却式除湿モジュール（48）に供給される外気（OA）（即ち除湿前の外気（OA））の温度及び湿度を検知する。温湿度センサ（T4）は、再生モジュール（31）の室内空気（RA）の入口付近に設けられ、再生モジュール（31）に供給される室内空気（RA）（即ち液体吸収剤の再生に利用される前の室内空気）の温度及び湿度を検知する。
【０１５０】
コントローラ（50）は、温湿度センサ（T4）によって検知された室内空気（RA）の湿度または室内への供給空気（SA）の設定温度と、温湿度センサ（T3）によって検知された外気（OA）の温度および湿度とに応じて、液式除湿モジュール（21）の液体吸収剤の入口温度及び冷媒冷却式除湿モジュール（48）の空気の出口温度の各目標値を決定する。各目標値は、“液式除湿モジュール（21）の液体吸収剤の入口温度≦冷媒冷却式除湿モジュール（48）の空気の出口温度”を満たす演算式等を用いて、決定されることが好ましい。
【０１５１】
なお、上記演算式は、机上計算または実験式等によって定められる。
【０１５２】
次いで、コントローラ（50）は、空気温度センサ（T1）の実際の検出値が冷媒冷却式除湿モジュール（48）の空気の出口温度の目標値に達し、且つ、液温度センサ（T2）の実際の検出値が液式除湿モジュール（21）の液体吸収剤の入口温度の目標値に達するように、圧縮機（42）の出力である回転数（運転周波数）、第１膨張弁（45a）及び第２膨張弁（45b）それぞれの開度を調節する。
【０１５３】
図１２は、上記実施形態１において、本実施形態の上記制御が行われる場合の調湿装置（10）の構成を図示している。図１２においても、上述した説明と同様に、“液式除湿モジュール（21）の液体吸収剤の入口温度≦冷媒冷却式除湿モジュール（48）の空気の出口温度”の条件を満たすように冷媒回路（40）を制御する手法を採用できる。
【０１５４】
＜効果＞
本実施形態では、上記実施形態１，２に係る効果に加えて以下の効果を奏する。
【０１５５】
本実施形態に係るコントローラ（50）は、液式除湿モジュール（21）にて除湿される前であって且つ冷媒冷却式除湿モジュール（48）から流出した後の外気（OA）の温度が、液式除湿モジュール（21）に流入する液体吸収剤の温度以上となるように、冷媒回路（40）を制御する。これにより、冷媒冷却式除湿モジュール（48）にて外気（OA）を過度に冷却除湿してしまい、液式除湿モジュール（21）での除湿量が非常に少なくなった結果、除湿装置（10）全体としての外気（OA）の除湿効率が悪化することを回避できる。また、冷媒冷却式除湿モジュール（48）にて冷却除湿した外気（OA）を液式除湿モジュール（21）にて液体吸収剤で再熱するような、いわゆる再熱ロスの発生を防ぐことができる。
【０１５６】
≪その他の実施形態≫
図１３に示すように、冷媒冷却式除湿モジュール（48）は複数設けられていても良い。図１３では、冷媒冷却式除湿モジュール（48）が第１モジュール（48c）と第２モジュール（48d）とを有する場合を例示している。
【０１５７】
第１モジュール（48c）及び第２モジュール（48d）は、被処理空気である外気（OA）の流れ方向に対し、第２モジュール（48d）が第１モジュール（48c）よりも空気の流れ方向上流側に位置するように配置されている。第１モジュール（48c）は、冷媒回路（40）（例えば、図１の液冷却熱交換器（46）及び圧縮機（42））に接続されており、第２モジュール（48d）は、冷媒回路（40）及び吸収剤回路（15）のいずれにも接続されていない。これにより、被処理空気である外気（OA）は、先ずは第２モジュール（48d）にて顕熱処理がなされ、その後第１モジュール（48c）にて冷却除湿される。冷却除湿された後の被処理空気は、更に、液式除湿モジュール（21）にて液体吸収剤により除湿される。即ち、図１３では、外気（OA）は３段階にて調湿される。これにより、図１及び図４に比して、顕熱負荷と潜熱負荷をより適した温度で処理することができ、除湿効率は良好となる。
【０１５８】
特に、図１３では、第２モジュール（48d）が、例えば地中熱交や冷却塔等に接続された場合を例示している。これにより、第２モジュール（48d）では、異熱源を有効利用することができる。更に、第２モジュール（48d）と第１モジュール（48c）とで熱源が異なるため、第２モジュール（48d）における被処理空気の調湿度合と第１モジュール（48c）における被処理空気の調湿度合とを、確実に分けることができる。
【０１５９】
放熱用凝縮器（43）が放熱する放熱流体は、室内の空気（RA）以外であればよく、水であってもよい。この場合、放熱用凝縮器（43）は冷媒と水との熱交換器で構成される。室外機（41）には、図１及び図４のファン（43a）が設けられない代わりに、図１４に示すように、水を放熱用凝縮器（43）に供給するためのポンプ（62）を有する水循環回路（61）が設けられるとよい。これにより、放熱用凝縮器（43）は、冷媒冷却式除湿モジュール（48）における冷媒の凝縮熱を水に放出することができる。
【０１６０】
放熱用凝縮器（43）及びファン（43a）は必須ではなく、設けられていなくても良い。
【０１６１】
放熱用凝縮器（43）が設けられているとしても、放熱用凝縮器（43）への放熱流体の供給が停止される条件は、冷媒の凝縮温度が所定値以下の場合に限定されない。例えば、供給制御部（51）は、潜熱負荷が所定負荷以下である場合に、放熱用凝縮器（43）にて処理するべき冷媒冷却式除湿モジュール（48）での発熱（凝縮熱）量は存在しないと判断して、ファン（43a）の運転を停止してもよい。この場合、供給制御部（51）は、潜熱負荷が所定負荷を超える場合、放熱用凝縮器（43）にて処理するべき冷媒冷却式除湿モジュール（48）での発熱（凝縮熱）量が存在すると判断して、ファン（43a）を運転させる。潜熱負荷が所定負荷を超えるか否かは、外気（OA）の露点温度が冷媒の蒸発温度よりも高いか否かによって判断されてもよい。即ち、再生モジュール（31）の放熱分のみでは２つの除湿モジュール（21,48）の発熱量を処理することができない程に、冷媒冷却式除湿モジュール（48）での発熱（凝縮熱）量がある場合に、ファン（43a）が運転して放熱用凝縮器（43）での放熱が行われる。
【０１６２】
上記実施形態２に係る複数の運転モード１〜５は、上記実施形態２で記載した条件以外で切り換えられても良い。
【０１６３】
上記実施形態３において、液体吸収剤の温度は、液温度センサ（T2）を用いて直接的に検知する代わりに、例えば液冷却熱交換器（46）に連結された配管内の温度等を用いて推定されてもよい。また、被処理空気（外気（OA））の温度は、空気温度センサ（T1）を用いて直接的に検知する代わりに、例えば温湿度センサ（T3）の検知結果等を用いて推定されてもよい。
【産業上の利用可能性】
【０１６４】
以上説明したように、本発明は、液体吸収剤の吸湿性能の高低に拘わらず、且つ、液式除湿部において液体吸収剤と空気との接触面積をあえて大きくせずとも、被処理空気を十分に除湿することができる。そのため、本発明は、サイズの大きい調湿装置が設置困難な場所にも設置することができる調湿装置として有用である。
【符号の説明】
【０１６５】
10  調湿装置
15  吸収剤回路
21  液式除湿モジュール（液式除湿部）
31  再生部
37  ポンプ
40  冷媒回路
43  放熱用凝縮器（放熱用熱交換器）
46  液冷却熱交換器
48  冷媒冷却式除湿モジュール（冷媒冷却式除湿部）
50  コントローラ（冷媒回路制御部）
51  供給制御部
52  モード運転制御部
【手続補正２】
【補正対象書類名】特許請求の範囲
【補正対象項目名】全文
【補正方法】変更
【補正の内容】
【特許請求の範囲】
【請求項１】
液体吸収剤に被処理空気中の水分を吸収させて該被処理空気を除湿する液式除湿部（21）と、上記液体吸収剤の水分を再生用空気に放出させて上記液体吸収剤を再生する再生部（31）と、上記液式除湿部（21）及び上記再生部（31）の間で上記液体吸収剤を循環させることが可能なポンプ（37）と、が接続された吸収剤回路（15）と、
上記吸収剤回路（15）に接続され、上記液式除湿部（21）にて除湿に利用される前の上記液体吸収剤を冷媒によって冷却する液冷却熱交換器（46）と、
上記液式除湿部（21）よりも上記被処理空気の流れ方向上流側に位置し、上記液式除湿部（21）にて除湿される前の上記被処理空気を上記冷媒により冷却して除湿する冷媒冷却式除湿部（48）と
を備え、
上記液冷却熱交換器（46）及び上記冷媒冷却式除湿部（48）は、上記再生部（31）にて再生される前の上記液体吸収剤を上記冷媒によって加熱する液加熱熱交換器（44）と共に、１の冷媒回路（40）に接続され、
上記冷媒冷却式除湿部（48）及び上記液式除湿部（21）において除湿された上記被処理空気は室内へ供給され、
上記冷媒回路（40）には、更に、上記冷媒冷却式除湿部（48）通過後の上記冷媒を上記室内の空気以外の放熱流体に放熱させる放熱用熱交換器（43）が接続され、
上記再生部（31）が上記液体吸収剤の再生に用いる上記再生用空気は、上記室内の空気であって、上記放熱用熱交換器（43）が放熱する上記放熱流体とは異なる
ことを特徴とする調湿装置。
【請求項２】
請求項１において、
上記冷媒回路（40）における上記冷媒の凝縮温度が所定値以下の場合、上記放熱用熱交換器（43）への上記放熱流体の供給を停止する供給制御部（51）、
を更に備えることを特徴とする調湿装置。
【請求項３】
請求項１または請求項２において、
上記被処理空気が、上記液式除湿部（21）及び上記冷媒冷却式除湿部（48）によって除湿される第１除湿運転モード、
上記被処理空気が、上記冷媒冷却式除湿部（48）によって除湿されず上記液式除湿部（21）によって除湿される第２除湿運転モード、及び
上記被処理空気が、上記液式除湿部（21）によって除湿されず上記冷媒冷却式除湿部（48）によって除湿される第３除湿運転モード、
のいずれかで動作されるように、上記吸収剤回路（15）及び上記冷媒回路（40）を制御するモード運転制御部（52）、
を更に備えることを特徴とする調湿装置。
【請求項４】
請求項１から請求項３のいずれか１つにおいて、
上記液式除湿部（21）にて除湿される前であって且つ上記冷媒冷却式除湿部（48）から流出した後の上記被処理空気の温度が、上記液式除湿部（21）に流入する上記液体吸収剤の温度以上となるように、上記冷媒回路（40）を制御する冷媒回路制御部（50）、
を更に備えることを特徴とする調湿装置。